(57)【特許請求の範囲】
【請求項１】
ワイヤレス通信の方法であって、
ユーザ機器（ＵＥ）から第１のランクインジケーションを受信することと、ここで、前記第１のランクインジケーションは、リソースの第１のセットに対応する、
前記第１のランクインジケーションと一緒に、前記ＵＥから第２のランクインジケーションを受信することと、ここで、前記第２のランクインジケーションは、リソースの第２のセットに対応する、
前記第２のランクインジケーションを参照して、前記リソースの第１のセットのための送信ランクを選択して、前記リソースの第１のセット上で前記ＵＥが維持可能な送信レートを設定することと、ここにおいて、前記選択された送信ランクは、前記第１のランクインジケーションとは異なる、
前記選択された送信ランクおよび送信レートを用いて、前記リソースの第１のセット上で前記ＵＥにデータパケットを送信することと、
前記第２のランクインジケーションと、前記第２のランクインジケーションに基づいた第２の送信レートとを用いて、前記リソースの第２のセット上で前記ＵＥにデータパケットを送信することと
を備える方法。
【請求項２】
前記リソースの第１のセットは、干渉制限されたサブフレームを指し、前記リソースの第２のセットは、干渉のないサブフレームを指す、請求項１に記載の方法。
【請求項３】
前記選択された送信ランクは、前記第２のランクインジケーションである、請求項１に記載の方法。
【請求項４】
前記第１のランクインジケーションおよび前記第２のランクインジケーションは各々、複数のランクインジケータ値のうちの１つを備える、請求項１に記載の方法。
【請求項５】
前記リソースの第１のセット上で送信された前記データパケットに関連付けられた誤り率をモニタリングすることと、
前記誤り率が上がっていることを検出したことに応じて、前記リソースの第１のセット上の前記送信レートを低下させることと
をさらに備える、請求項１に記載の方法。
【請求項６】
前記送信レートが送信レートレンジの限界に到達したことに応じて前記選択された送信ランクとは異なる別のランクインジケーションに関連付けられた別の送信レートレンジを再選択することと、
前記別の送信レートレンジ内の前記別のデータ送信レートを用いて、前記リソースの第１のセット上でデータパケットを前記ＵＥに送信することと
をさらに備える、請求項５に記載の方法。
【請求項７】
前記低下させることは、前記送信レートレンジが前記第１のランクインジケーションにしたがって選択された場合に第１の量にしたがって実行され、前記送信レートレンジが前記選択された送信ランクにしたがって選択された場合に第２の量を備え、前記第２の量は前記第１の量よりも多い、請求項５に記載の方法。
【請求項８】
前記低下させる量は、前記検出された誤り率に基づいて決定される、請求項５に記載の方法。
【請求項９】
前記選択された送信ランクを用いて、前記リソースの第１のセット上で送信された前記データパケットに関連付けられた誤り率をモニタリングすることと、
前記選択された送信ランクに関連付けられた前記誤り率に基づいて第１のバックオフ値を生成することと、
前記第１のランクインジケーションを用いて、前記リソースの第１のセット上で送信された前記データパケットに関連付けられた前記誤り率をモニタリングすることと、
前記第１のランクインジケーションに関連付けられた前記誤り率に基づいて第２のバックオフ値を生成することと、
前記選択された送信ランクおよび前記第１のランクインジケーションのうちのどちらがより高い、サービングスループットを提供するかを、前記第１のバックオフ値と前記第２のバックオフ値との比較に基づいて決定することと
をさらに備える、請求項１に記載の方法。
【請求項１０】
前記送信ランクを選択することは、
前記第１のランクインジケーションを用いて、前記リソースの第１のセット上でデータパケットを前記ＵＥに送信することと、
前記送信ランクを、前記第１のランクインジケーションとは異なる前記選択された送信ランクに一時的に切り替えることと、
前記選択された送信ランクを用いて、前記リソースの第１のセット上でデータパケットを前記ＵＥに送信することと、
前記第１のランクインジケーションを用いて前記データパケットを送信する間に達成されるスループットに一致するように前記送信レートを変更することと、
前記選択された送信ランクを用いて送信された前記データパケットに関連付けられたブロック誤り率を分析することと、
ランクを切り替えることにおけるピンポン効果が減らされるように、前記ブロック誤り率がターゲット誤り率よりもかなり大きいか否かについて決定することと、
前記ブロック誤り率が前記ターゲットブロック誤り率よりもかなり大きくないことに応じて、前記送信レートが、前記第１のランクインジケーションを用いた送信のための最大値に到達した場合に、前記ランクインジケータを、前記第１のランクインジケーションとは異なる前記選択された送信ランクに切り替えるようにスケジューラを設定することと、
前記送信ランクを前記第１のランクインジケーションに切り替えることと
を備える、請求項１に記載の方法。
【請求項１１】
前記選択された送信ランクを用いて、前記リソースの第１のセット上で前記データパケットを送信することに関連付けられた誤り率をモニタリングすることと、
前記誤り率に基づいて、バックオフ値を生成することと、
バーストな干渉条件に順応するように前記バックオフ値を調整することと、
バックオフ値トリガイベントを検出したことに応じて、前記バックオフ値を中立レンジに設定することと
をさらに備える、請求項１に記載の方法。
【請求項１２】
バックオフ値レンジを有するバックオフ値を生成することと、ここで、前記バックオフ値レンジは、小さいデシベルのレンジに初期設定される、
モニタリングされた誤り率が、あらかじめ決められた周波数よりも大きい前記バックオフ値レンジの限界と交差するか否かを決定することと、
前記バックオフレンジを交差することを減らすために、前記バックオフ値レンジを変更することと、
バックオフ値トリガイベントを検出したことに応じて、前記バックオフ値を前記小さいデシベルのレンジに再設定することと
をさらに備える、請求項１に記載の方法。
【請求項１３】
ワイヤレス通信のために構成された発展型ノードＢ（ｅＮＢ）であって、
第１のランクインジケーションをユーザ機器（ＵＥ）から受信する手段と、ここで、前記第１のランクインジケーションは、リソースの第１のセットに対応する、
前記第１のランクインジケーションと一緒に、第２のランクインジケーションを前記ＵＥから受信する手段と、ここで、前記第２のランクインジケーションは、リソースの第２のセットに対応する、
前記第２のランクインジケーションを参照して、前記リソースの第１のセットのための送信ランクを選択して、前記リソースの第１のセット上で前記ＵＥが維持可能な送信レートを設定する手段と、ここにおいて、前記選択された送信ランクは、前記第１のランクインジケーションとは異なる、
前記選択された送信ランクおよび送信レートを用いて、前記リソースの第１のセット上でデータパケットを前記ＵＥに送信する手段と、
前記第２のランクインジケーションと、前記第２のランクインジケーションに基づいた第２の送信レートとを用いて、前記リソースの第２のセット上で前記ＵＥにデータパケットを送信する手段と
を備えるｅＮＢ。
【請求項１４】
前記リソースの第１のセットは、干渉制限されたサブフレームを指し、前記リソースの第２のセットは、干渉のないサブフレームを指す、請求項１３に記載のｅＮＢ。
【請求項１５】
前記選択された送信ランクは、前記第２のランクインジケーションである、請求項１３に記載のｅＮＢ。
【請求項１６】
前記第１のランクインジケーションおよび前記第２のランクインジケーションは各々、複数のランクインジケータ値のうちの１つを備える、請求項１３に記載のｅＮＢ。
【請求項１７】
前記リソースの第１のセット上で送信された前記データパケットに関連付けられた誤り率をモニタリングする手段と、
前記誤り率が上がっていることを検出したことに応じて、前記リソースの第１のセット上の前記送信レートを低下させる手段と
をさらに備える、請求項１３に記載のｅＮＢ。
【請求項１８】
前記送信レートが前記送信レートレンジの限界に到達したことに応じて前記選択された送信ランクとは異なる別のランクインジケーションに関連付けられた別の送信レートレンジを再選択する手段と、
前記別の送信レートレンジ内の前記別のデータ送信レートを用いて、前記リソースの第１のセット上でデータパケットを前記ＵＥに送信する手段と
をさらに備える、請求項１７に記載のｅＮＢ。
【請求項１９】
前記選択された送信ランクを用いて、前記リソースの第１のセット上で送信された前記データパケットに関連付けられた誤り率をモニタリングする手段と、
前記選択された送信ランクに関連付けられた前記誤り率に基づいて第１のバックオフ値を生成する手段と、
前記第１のランクインジケーションを用いて、前記リソースの第１のセット上で送信された前記データパケットに関連付けられた前記誤り率をモニタリングする手段と、
前記第１のランクインジケーションに関連付けられた前記誤り率に基づいて第２のバックオフ値を生成する手段と、
前記選択された送信ランクおよび前記第１のランクインジケーションのうちのどちらがより高い、サービングされるスループットを提供するかを、前記第１のバックオフ値と前記第２のバックオフ値との比較に基づいて決定する手段と
をさらに備える、請求項１３に記載のｅＮＢ。
【請求項２０】
前記送信ランクを選択することは、
前記第１のランクインジケーションを用いて、前記リソースの第１のセット上でデータパケットを前記ＵＥに送信する手段と、
前記送信ランクを、前記第１のランクインジケーションとは異なる前記選択された送信ランクに一時的に切り替える手段と、
前記選択された送信ランクを用いて、前記リソースの第１のセット上でデータパケットを前記ＵＥに送信する手段と、
前記第１のランクインジケーションを用いて前記データパケットを送信する間に達成されるスループットに一致するように前記送信レートを変更する手段と、
前記選択された送信ランクを用いて送信された前記データパケットに関連付けられたブロック誤り率を分析する手段と、
ランクを切り替えることにおけるピンポン効果が減らされるように、前記ブロック誤り率がターゲット誤り率よりもかなり大きいか否かについて決定する手段と、
前記ブロック誤り率が前記ターゲットブロック誤り率よりもかなり大きくないことに応じて実行可能な手段であって、前記送信レートが、前記第１のランクインジケーションを用いた送信のための最大値に到達した場合に、前記ランクインジケータを、前記第１のランクインジケーションとは異なる前記選択された送信ランクに切り替えるようにスケジューラを設定する手段と、
前記送信ランクを前記第１のランクインジケーションに切り替える手段と
を備える、請求項１３に記載のｅＮＢ。
【請求項２１】
前記選択された送信ランクを用いて、前記リソースの第１のセット上で送信された前記データパケットに関連付けられた誤り率をモニタリングする手段と、
前記誤り率に基づいて、バックオフ値を生成する手段と、
バーストな干渉条件に順応するように前記バックオフ値を調整する手段と、
バックオフ値トリガイベントを検出したことに応じて実行可能な手段であって、前記バックオフ値を中立レンジに設定する手段と
をさらに備える、請求項１３に記載のｅＮＢ。
【請求項２２】
バックオフ値レンジを有するバックオフ値を生成する手段と、ここで、前記バックオフ値レンジは、小さいデシベルのレンジに初期設定される、
モニタリングされた誤り率が、あらかじめ決められた周波数よりも大きい前記バックオフ値レンジの限界と交差するか否かを決定する手段と、
前記バックオフレンジを交差することを減らすために、前記バックオフ値レンジを変更する手段と、
バックオフ値トリガイベントを検出したことに応じて実行可能な手段であって、前記バックオフ値を前記小さいデシベルのレンジに再設定する手段と
をさらに備える、請求項１３に記載のｅＮＢ。
【請求項２３】
ワイヤレスネットワークにおけるワイヤレス通信のためのコンピュータプログラムであって、前記プログラムコードは、
少なくとも１つのプロセッサに、ユーザ機器（ＵＥ）から第１のランクインジケーションを受信させるためのプログラムコードと、ここで、前記第１のランクインジケーションは、リソースの第１のセットに対応する、
前記少なくとも１つのプロセッサに、前記第１のランクインジケーションと一緒に、第２のランクインジケーションを前記ＵＥから受信させるためのプログラムコードと、ここで、前記第２のランクインジケーションは、リソースの第２のセットに対応する、
前記少なくとも１つのプロセッサに、前記第２のランクインジケーションを参照して、前記リソースの第１のセットのための送信ランクを選択して、前記リソースの第１のセット上で前記ＵＥが維持可能な送信レートを設定させるためのプログラムコードと、ここにおいて、前記選択された送信ランクは、前記第１のランクインジケーションとは異なる、
前記少なくとも１つのプロセッサに、前記選択された送信ランクおよび送信レートを用いて、前記リソースの第１のセット上でデータパケットを前記ＵＥに送信させるためのプログラムコードと、
前記少なくとも１つのプロセッサに、前記第２のランクインジケーションと前記第２のランクインジケーションに基づいた第２の送信レートとを用いて、前記リソースの第２のセット上でデータパケットを前記ＵＥに送信させるためのプログラムコードと
を備える、コンピュータプログラム。
【請求項２４】
前記リソースの第１のセットは、干渉制限されたサブフレームを指し、前記リソースの第２のセットは、干渉のないサブフレームを指す、請求項２３に記載のコンピュータプログラム。
【請求項２５】
前記選択された送信ランクは、前記第２のランクインジケーションである、請求項２３に記載のコンピュータプログラム。
【請求項２６】
前記第１のランクインジケーションおよび前記第２のランクインジケーションは各々、複数のランクインジケータ値のうちの１つを備える、請求項２３に記載のコンピュータプログラム。
【請求項２７】
前記少なくとも１つのプロセッサに、前記リソースの第１のセット上で送信された前記データパケットに関連付けられた誤り率をモニタリングさせるためのプログラムコードと、
前記少なくとも１つのプロセッサに、前記誤り率が上がっていることを検出したことに応じて、前記リソースの第１のセット上の前記送信レートを低下させるためのプログラムコードと
をさらに備える、請求項２３に記載のコンピュータプログラム。
【請求項２８】
前記少なくとも１つのプロセッサに、前記送信レートが前記送信レートレンジの限界に到達したことに応じて前記選択された送信ランクとは異なる別のランクインジケーションに関連付けられた別の送信レートレンジを再選択させるためのプログラムコードと、
前記少なくとも１つのプロセッサに、前記別の送信レートレンジ内の前記別のデータ送信レートを用いて、前記リソースの第１のセット上でデータパケットを前記ＵＥに送信させるためのプログラムコードと
をさらに備える、請求項２７に記載のコンピュータプログラム。
【請求項２９】
前記少なくとも１つのプロセッサに、前記選択された送信ランクを用いて、前記リソースの第１のセット上で送信された前記データパケットに関連付けられた誤り率をモニタリングさせるためのプログラムコードと、
前記少なくとも１つのプロセッサに、前記選択された送信ランクに関連付けられた前記誤り率に基づいて第１のバックオフ値を生成させるためのプログラムコードと、
前記少なくとも１つのプロセッサに、前記第１のランクインジケーションを用いて、前記リソースの第１のセット上で送信された前記データパケットに関連付けられた前記誤り率をモニタリングさせるためのプログラムコードと、
前記少なくとも１つのプロセッサに、前記第１のランクインジケーションに関連付けられた前記誤り率に基づいて第２のバックオフ値を生成させるためのプログラムコードと、
前記少なくとも１つのプロセッサに、前記選択された送信ランクおよび前記第１のランクインジケーションのうちのどちらがより高いサービングされるスループットを提供するかを、前記第１のバックオフ値と前記第２のバックオフ値との比較に基づいて決定させるためのプログラムコードと
をさらに備える、請求項２３に記載のコンピュータプログラム。
【請求項３０】
前記少なくとも１つのプロセッサに前記送信ランクを選択させるためのプログラムコードは、
前記少なくとも１つのプロセッサに、前記第１のランクインジケーションを用いて、前記リソースの第１のセット上で前記ＵＥにデータパケットを送信させるためのプログラムコードと、
前記少なくとも１つのプロセッサに、前記送信ランクを、前記第１のランクインジケーションとは異なる前記選択された送信ランクに一時的に切り替えさせるためのプログラムコードと、
前記少なくとも１つのプロセッサに、前記選択された送信ランクを用いて、前記リソースの第１のセット上で前記ＵＥにデータパケットを送信させるためのプログラムコードと、
前記少なくとも１つのプロセッサに、前記第１のランクインジケーションを用いて前記データパケットを送信する間に達成されるスループットに一致するように前記送信レートを変更させるためのプログラムコードと、
前記少なくとも１つのプロセッサに、前記選択された送信ランクを用いて送信された前記データパケットに関連付けられたブロック誤り率を分析させるためのプログラムコードと、
前記少なくとも１つのプロセッサに、ランクを切り替えることにおけるピンポン効果が減らされるように、前記ブロック誤り率がターゲット誤り率よりもかなり大きいか否かについて決定させるためのプログラムコードと、
前記ブロック誤り率が前記ターゲットブロック誤り率よりもかなり大きくないことに応じて実行可能なプログラムコードであって、前記少なくとも１つのプロセッサに、前記送信レートが、前記第１のランクインジケーションを用いた送信のための最大値に到達した場合に、前記ランクインジケータを、前記第１のランクインジケーションとは異なる前記選択された送信ランクに切り替えるようにスケジューラを設定させるためのプログラムコードと、
前記少なくとも１つのプロセッサに、前記送信ランクを前記第１のランクインジケーションに切り替えさせるためのプログラムコードと
を備える、請求項２３に記載のコンピュータプログラム。
【請求項３１】
前記少なくとも１つのプロセッサに、前記選択された送信ランクを用いて、前記リソースの第１のセット上で送信された前記データパケットに関連付けられた誤り率をモニタリングさせるためのプログラムコードと、
前記少なくとも１つのプロセッサに、前記誤り率に基づいて、バックオフ値を生成させるためのプログラムコードと、
バーストな干渉条件に順応するように前記バックオフ値を調整するためのプログラムコードと、
前記少なくとも１つのプロセッサに、バックオフ値トリガイベントを検出したことに応じて実行可能なプログラムコードであって、前記バックオフ値を中立レンジに設定させるためのプログラムコードと
をさらに備える、請求項２３に記載のコンピュータプログラム。
【請求項３２】
前記少なくとも１つのプロセッサに、バックオフ値レンジを有するバックオフ値を生成させるためのプログラムコードと、ここで、前記バックオフ値レンジは、小さいデシベルのレンジに初期設定される、
前記少なくとも１つのプロセッサに、モニタリングされた誤り率が、あらかじめ決められた周波数よりも大きい前記バックオフ値レンジの限界と交差するか否かを決定させるためのプログラムコードと、
前記少なくとも１つのプロセッサに、前記バックオフレンジを交差することを減らすために、前記バックオフ値レンジを変更させるためのプログラムコードと、
バックオフ値トリガイベントを検出したことに応じて実行可能なプログラムコードであって、前記少なくとも１つのプロセッサに、前記バックオフ値を前記小さいデシベルのレンジに再設定させるためのプログラムコードと
をさらに備える、請求項２３に記載のコンピュータプログラム。
【請求項３３】
ワイヤレス通信のために構成された発展型ノードＢ（ｅＮＢ）であって、前記装置は、
少なくとも１つのプロセッサと、
前記少なくとも１つのプロセッサに結合されたメモリとを備え、
前記少なくとも１つのプロセッサは、
ユーザ機器（ＵＥ）から第１のランクインジケーションを受信することと、ここで、前記第１のランクインジケーションは、リソースの第１のセットに対応する、
前記第１のランクインジケーションと一緒に、前記ＵＥから第２のランクインジケーションを受信することと、ここで、前記第２のランクインジケーションは、リソースの第２のセットに対応する、
前記第２のランクインジケーションを参照して、前記リソースの第１のセットのための送信ランクを選択して、前記リソースの第１のセット上で前記ＵＥが維持可能な送信レートを設定することと、ここにおいて、前記選択された送信ランクは、前記第１のランクインジケーションとは異なる、
前記選択された送信ランクおよび送信レートを用いて、前記リソースの第１のセット上で前記ＵＥにデータパケットを送信することと、
前記第２のランクインジケーションと、前記第２のランクインジケーションに基づいた第２の送信レートとを用いて、前記リソースの第２のセット上で前記ＵＥにデータパケットを送信することと
を行うように構成される、ｅＮＢ。
【請求項３４】
前記リソースの第１のセットは、干渉制限されたサブフレームを指し、前記リソースの第２のセットは、干渉のないサブフレームを指す、請求項３３に記載のｅＮＢ。
【請求項３５】
前記選択された送信ランクは、前記第２のランクインジケーションである、請求項３３に記載のｅＮＢ。
【請求項３６】
前記第１のランクインジケーションおよび前記第２のランクインジケーションは各々、複数のランクインジケータ値のうちの１つを備える、請求項３３に記載のｅＮＢ。
【請求項３７】
前記少なくとも１つのプロセッサはさらに、
前記リソースの第１のセット上で送信された前記データパケットに関連付けられた誤り率をモニタリングすることと、
前記誤り率が上がっていることを検出したことに応じて、前記リソースの第１のセット上の前記送信レートを低下させることと
を行うように構成される、請求項３３に記載のｅＮＢ。
【請求項３８】
前記少なくとも１つのプロセッサはさらに、
前記送信レートが前記送信レートレンジの限界に到達したことに応じて前記選択された送信ランクとは異なる別のランクインジケーションに関連付けられた別の送信レートレンジを再選択することと、
前記別の送信レートレンジ内の前記別のデータ送信レートを用いて、前記リソースの第１のセット上で前記ＵＥにデータパケットを送信することと
を行うように構成される、請求項３７に記載のｅＮＢ。
【請求項３９】
前記少なくとも１つのプロセッサはさらに、
前記選択された送信ランクを用いて、前記リソースの第１のセット上で送信された前記データパケットに関連付けられた誤り率をモニタリングすることと、
前記選択された送信ランクに関連付けられた前記誤り率に基づいて第１のバックオフ値を生成することと、
前記第１のランクインジケーションを用いて、前記リソースの第１のセット上で送信された前記データパケットに関連付けられた前記誤り率をモニタリングすることと、
前記第１のランクインジケーションに関連付けられた前記誤り率に基づいて第２のバックオフ値を生成することと、
前記選択された送信ランクおよび前記第１のランクインジケーションのうちのどちらがより高いサービングされるスループットを提供するかを、前記第１のバックオフ値と前記第２のバックオフ値との比較に基づいて決定することと
を行うように構成される、請求項３３に記載のｅＮＢ。
【請求項４０】
前記送信ランクを選択することを行うように前記少なくとも１つのプロセッサを構成することは、前記少なくとも１つのプロセッサを、
前記第１のランクインジケーションを用いて、前記リソースの第１のセット上で前記ＵＥにデータパケットを送信することと、
前記送信ランクを、前記第１のランクインジケーションとは異なる前記選択された送信ランクに一時的に切り替えることと、
前記選択された送信ランクを用いて、前記リソースの第１のセット上で前記ＵＥにデータパケットを送信することと、
前記第１のランクインジケーションを用いて前記データパケットを送信する間に達成されるスループットに一致するように前記送信レートを変更することと、
前記選択された送信ランクを用いて送信された前記データパケットに関連付けられたブロック誤り率を分析することと、
ランクを切り替えることにおけるピンポン効果が減らされるように、前記ブロック誤り率がターゲット誤り率よりもかなり大きいか否かについて決定することと、
前記ブロック誤り率が前記ターゲットブロック誤り率よりもかなり大きくないことに応じて、前記送信レートが前記第１のランクインジケーションを用いた送信のための最大値に到達した場合に、前記ランクインジケータを、前記第１のランクインジケーションとは異なる前記選択された送信ランクに切り替えるようにスケジューラを設定することと、
前記送信ランクを前記第１のランクインジケーションに切り替えることと
を行うように構成することを備える、請求項３３に記載のｅＮＢ。
【請求項４１】
前記少なくとも１つのプロセッサはさらに、
前記選択された送信ランクを用いて、前記リソースの第１のセット上で送信された前記データパケットに関連付けられた誤り率をモニタリングすることと、
前記誤り率に基づいて、バックオフ値を生成することと、
バーストな干渉条件に順応するように前記バックオフ値を調整することと、
バックオフ値トリガイベントを検出したことに応じて、前記バックオフ値を中立レンジに設定することと
を行うように構成される、請求項３３に記載のｅＮＢ。
【請求項４２】
前記少なくとも１つのプロセッサはさらに、
バックオフ値レンジを有するバックオフ値を生成することと、ここで、前記バックオフ値レンジは、小さいデシベルのレンジに初期設定される、
モニタリングされた誤り率が、あらかじめ決められた周波数よりも大きい前記バックオフ値レンジの限界と交差するか否かを決定することと、
前記バックオフレンジを交差することを減らすために、前記バックオフ値レンジを変更することと、
バックオフ値トリガイベントを検出したことに応じて、前記バックオフ値を前記小さいデシベルのレンジに再設定することと
を行うように構成される、請求項３３に記載のｅＮＢ。
【発明の詳細な説明】
【技術分野】
【０００１】
本開示の態様は一般的に、ワイヤレス通信システムに関し、より詳細には、ＬＴＥ異種ネットワークの発展型ＮＢ（ｅＮＢ）のためのエンハンスドダウンリンクレート適応に関する。
【背景技術】
【０００２】
ワイヤレス通信ネットワークは、音声、ビデオ、パケットデータ、メッセージング、ブロードキャストなどといった、様々な通信サービスを提供するために広く展開されている。これらのワイヤレスネットワークは、利用可能なネットワークリソースを共有することによって複数のユーザをサポートすることができる多元接続ネットワークでありうる。通常多元接続ネットワークであるこのようなネットワークは、利用可能なネットワークリソースを共有することによって、複数のユーザのための通信をサポートする。このようなネットワークの一例は、ユニバーサル地上無線接続ネットワーク（ＵＴＲＡＮ）である。ＵＴＲＡＮは、ユニバーサルモバイル電気通信システム（ＵＭＴＳ）の一部として定義された無線接続ネットワーク（ＲＡＮ）であって、第３世代パートナーシッププロジェクト（３ＧＰＰ）によってサポートされる第３世代（３Ｇ）モバイル電話技術である。多元接続ネットワークのフォーマットの例には、符号分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一キャリアＦＤＭＡ（ＳＣ−ＦＤＭＡ）ネットワークとが含まれる。
【０００３】
ワイヤレス通信ネットワークは、多数のユーザ機器（ＵＥ）のために通信をサポートすることができる多数の基地局またはノードＢを含みうる。ＵＥは、ダウンリンクおよびアップリンクを介して基地局と通信しうる。ダウンリンク（すなわち、順方向リンク）は基地局からＵＥへの通信リンクを指し、アップリンク（すなわち、逆方向リンク）は、ＵＥから基地局への通信リンクを指す。
【０００４】
基地局は、データおよび制御情報をダウンリンク上でＵＥに送信し、および／または、ＵＥからアップリンク上でデータおよび制御情報を受信しうる。ダウンリンク上では、基地局からの送信が、隣接基地局からの、または他のワイヤレス無線周波数（ＲＦ）送信機からの送信による干渉に遭遇しうる。アップリンク上では、ＵＥからの送信が、隣接基地局と通信している他のＵＥのアップリンク送信からの、または他のワイヤレスＲＦ送信機からの干渉に遭遇しうる。この干渉は、ダウンリンクおよびアップリンクの両方で性能を劣化させうる。
【０００５】
モバイルブロードバンドアクセスに対する需要が増加し続けるにつれ、より多くのＵＥが長距離ワイヤレス通信ネットワークにアクセスし、より多くの短距離ワイヤレスシステムがコミュニティ内で展開されるため、干渉および輻輳ネットワークの可能性が増大する。研究と発展は、モバイルブロードバンドアクセスに対する高まる需要を満たすためだけでなく、モバイル通信とのユーザ経験を促進および増進するためにＵＭＴＳ技術を進歩させ続ける。
【発明の概要】
【０００６】
本開示の様々な態様は、干渉制限されたサブフレーム（interference-limited subframe）と干渉のないサブフレーム（interference-free subframe）との間で通信サブフレームが分割されるワイヤレス通信システムにおけるダウンリンク送信のためのレート適応に向けられている。ＵＥは、両方のタイプのサブフレームについてＲＩを報告する。一般的に、干渉のないサブフレームについてのＲＩは、干渉制限されたサブフレームについて報告されるＲＩよりも高いであろう。しかしながら、隣接セルが部分的にのみロードされている場合、ＵＥは、報告されたＲＩによってサポートされるものよりも高い送信レートを維持することができる。本開示の態様は、ＵＥによって報告されたＲＩだけに基づくのではなく、ＵＥが維持可能なものに基づいて、ｅＮＢが、干渉制限されたサブフレームについてのＲＩを決定することを提供する。      
本開示の一態様において、ワイヤレス通信の方法は、ＵＥから第１のランクインジケーションを受信することを含み、第１のランクインジケーションは、リソースの第１のセットに対応する。方法はさらに、ＵＥから第２のランクインジケーションを受信することを含み、第２のランクインジケーションは、リソースの第２のセットに対応する。方法はさらに、送信ランクを選択して、リソースの第１のセット上でＵＥが維持可能な送信レートを設定することを含み、選択された送信ランクは、第１のランクインジケーションとは異なる。方法はさらに、選択された送信ランクおよび送信レートを用いてリソースの第１のセット上でＵＥにデータパケットを送信すること、および、第２のランクインジケーションと、この第２のランクインジケーションに基づいた第２の送信レートとを用いてリソースの第２のセット上でＵＥにデータパケットを送信することを含む。
【０００７】
本開示のさらなる態様において、ワイヤレス通信のために構成されたｅＮＢは、ＵＥから第１のランクインジケーションを受信する手段、ここで、第１のランクインジケーションは、リソースの第１のセットに対応する、ＵＥから第２のランクインジケーションを受信する手段、ここで、第２のランクインジケーションは、リソースの第２のセットに対応する、送信ランクを選択して、リソースの第１のセット上でＵＥが維持可能な送信レートを設定する手段、ここで、選択された送信ランクは、第１のランクインジケーションとは異なる、選択された送信ランクおよび送信レートを用いてリソースの第１のセット上でＵＥにデータパケットを送信する手段、および、第２のランクインジケーションと、この第２のランクインジケーションに基づいた第２の送信レートとを用いてリソースの第２のセット上でＵＥにデータパケットを送信する手段を含む。
【０００８】
本開示のさらなる態様において、コンピュータプログラム製品は、プログラムコードを記録したコンピュータ読取可能な媒体を有する。このプログラムコードは、ＵＥから第１のランクインジケーションを受信するためのコード、ここで、第１のランクインジケーションは、リソースの第１のセットに対応する、ＵＥから第２のランクインジケーションを受信するためのコード、ここで、第２のランクインジケーションは、リソースの第２のセットに対応する、送信ランクを選択して、リソースの第１のセット上でＵＥが維持可能な送信レートを設定するためのコード、ここで、選択された送信ランクは、第１のランクインジケーションとは異なる、選択された送信ランクおよび送信レートを用いてリソースの第１のセット上でＵＥにデータパケットを送信するためのコード、および第２のランクインジケーションと、この第２のランクインジケーションに基づいた第２の送信レートとを用いてリソースの第２のセット上でＵＥにデータパケットを送信するためのコードを含む。本開示のさらなる態様において、装置は、少なくとも１つのプロセッサと、このプロセッサに結合されたメモリとを含む。プロセッサは、ＵＥから第１のランクインジケーションを受信するように構成され、第１のランクインジケーションは、リソースの第１のセットに対応する。プロセッサはさらに、ＵＥから第２のランクインジケーションを受信するように構成され、第２のランクインジケーションは、リソースの第２のセットに対応する。プロセッサはまた、送信ランクを選択して、リソースの第１のセット上でＵＥが維持可能な送信レートを設定し、ここで、選択された送信ランクは、第１のランクインジケーションとは異なる、選択された送信ランクおよび送信レートを用いてリソースの第１のセット上でＵＥにデータパケットを送信し、第２のランクインジケーションと、この第２のランクインジケーションに基づいた第２の送信レートとを用いてリソースの第２のセット上でＵＥにデータパケットを送信するように構成される。
【図面の簡単な説明】
【０００９】
【図１】図１は、モバイル通信システムの例を概念的に示すブロック図である。
【図２】図２は、モバイル通信システムにおけるダウンリンクフレーム構造の例を概念的に示すブロック図である。
【図３】図３は、本開示の一態様にしたがった異種ネットワークにおける時分割多重化（ＴＤＭ）分割を概念的に示すブロック図である。
【図４】図４は、本開示の一態様にしたがって構成されたＵＥと基地局/ｅＮＢの設計を概念的に示すブロック図である。
【図５】図５は、本開示の一態様にしたがって構成されたレート適応システムを示すブロック図である。
【図６】図６は、本開示の一態様にしたがって構成されたステートマシンを示す図である。
【図７】図７は、報告ランクΦ（ＳＩＮＲ）および仮想ランクΨ（ＳＩＮＲ）のスペクトル効率カーブを示すグラフである。
【図８】図８は、本開示の一態様を実現するように実行された例示的なブロックを示す機能ブロック図である。
【図９】図９は、本開示の別の態様を実現するために実行される例示的なブロックを示す機能ブロック図である。
【図１０】図１０は、報告ランクΦ（ＳＩＮＲ）および仮想ランクΨ（ＳＩＮＲ）カーブのスペクトル効率カーブと、本開示の一態様にしたがって構成された複数のバックアップループとを示すグラフである。
【図１１】図１１は、本開示の一態様を実現するために実行される例示的なブロックを示す機能ブロック図である。
【図１２】図１２は、本開示の一態様を実現するために実行される例示的なブロックを示す機能ブロック図である。
【図１３】図１３は、本開示の一態様を実現するために実行される例示的なブロックを示す機能ブロック図である。
【詳細な説明】
【００１０】
添付の図面に関連して以下に示される詳細な説明は、様々な構成の説明を意図したものであり、本明細書で説明される概念が実現されうる唯一の構成を表すことを意図したものではない。この詳細な説明は、様々な概念の徹底した理解を提供することを目的とする特定の詳細を含む。しかしながら、これらの概念が、これらの特定の詳細なしで実施されうることは、当業者には明らかであろう。いくつかの例において、周知の構造およびコンポーネントが、このような概念を曖昧にしないために、ブロック図の形式で示されている。
【００１１】
本明細書で説明される技法は、ＣＤＭＡ、ＴＤＭＡ、ＦＤＭＡ、ＯＦＤＭＡ、ＳＣ−ＦＤＭＡのような様々なワイヤレス通信ネットワーク、および他のネットワークに使用されうる。「ネットワーク」および「システム」という用語は、互換性をもって使用されることが多い。ＣＤＭＡネットワークは、ユニバーサル地上無線接続（ＵＴＲＡ）、米国電気通信工業会（ＴＩＡ）のＣＤＭＡ２０００（登録商標）、等の無線技術を実現しうる。ＵＴＲＡ技術は、広帯域ＣＤＭＡ（ＷＣＤＭＡ（登録商標））およびＣＤＭＡの他の変形を含む。ＣＤＭＡ２０００技術には、米国電子工業会（ＥＩＡ）およびＴＩＡのＩＳ−２０００、ＩＳ−９５、およびＩＳ−８５６規格が含まれる。ＴＤＭＡネットワークは、モバイル通信のためのグローバルシステム（ＧＳＭ（登録商標））のような無線技術を実現しうる。ＯＦＤＭＡネットワークは、次世代ＵＴＲＡ（Ｅ−ＵＴＲＡ）、ウルトラモバイルブロードバンド（ＵＭＢ）、ＩＥＥＥ ８０２.１１（Ｗｉ−Ｆｉ）、ＩＥＥＥ ８０２.１６（ＷｉＭＡＸ）、ＩＥＥＥ ８０２.２０、フラッシュＯＦＤＭＡ、等の無線技術を実現しうる。ＵＴＲＡおよびＥ−ＵＴＲＡ技術は、ユニバーサルモバイル電気通信システム（ＵＭＴＳ）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称される団体からの文書で説明されている。ＣＤＭＡ２０００およびＵＭＢは、「第３世代パートナーシッププロジェクト２」（３ＧＰＰ２）と称される団体からの文書で説明されている。本明細書で説明される技法は、上述されたワイヤレスネットワークおよび無線接続技術、並びに、その他のワイヤレスネットワークおよび無線接続技術に使用されうる。明確さのために、これらの技法の特定の態様は、ＬＴＥまたはＬＴＥ−Ａ（代替的に、総称して「ＬＴＥ／−Ａ」と呼ばれる）に関して以下で説明され、下記説明の大部分においてそのようなＬＴＥ／−Ａ用語が使用される。
【００１２】
図１は、ＬＴＥ−Ａネットワークでありうる、通信のためのワイヤレスネットワーク１００を示す。ワイヤレスネットワーク１００は、多数の発展型ＮＢ（ｅＮＢ)１１０および他のネットワークエンティティを含む。ｅＮＢは、ＵＥと通信する局であり、基地局、ノードＢ、アクセスポイント、等とも呼ばれうる。各ｅＮＢ １１０は、特定の地理的エリアに通信カバレッジを提供しうる。３ＧＰＰでは、「セル」という用語は、この用語が使用されるコンテンツに依存して、ｅＮＢの特定の地理的カバレッジエリアおよび／またはこのカバレッジエリアをサービングするｅＮＢサブシステムを指しうる。
【００１３】
ｅＮＢは、マクロセル、ピコセル、フェムトセル、および／または、他のタイプのセルに通信カバレッジを提供しうる。マクロセルは一般的に、比較的大きい地理的エリア(例えば、半径数キロメートル)をカバーし、ネットワークプロバイダのサービスに加入しているＵＥによる無制約アクセスを可能にしうる。ピコセルは一般的に、比較的小さい地理的エリアをカバーし、ネットワークプロバイダのサービスに加入しているＵＥによる無制約アクセスを可能にしうる。フェムトセルも一般的に、比較的小さい地理的エリア(例えば、ホーム)をカバーし、無制約アクセスに加えて、フェムトセルと関連があるＵＥ(例えば、クローズド加入者グループ(ＣＳＧ)のＵＥ、ホームにいるユーザのＵＥ、等)による制約付きアクセスを提供しうる。マクロセルのためのｅＮＢは、マクロｅＮＢと呼ばれうる。ピコセルのためのｅＮＢは、ピコｅＮＢと呼ばれうる。さらに、フェムトセルのためのｅＮＢは、フェムトｅＮＢまたはホームｅＮＢと呼ばれうる。図１で示される例において、ｅＮＢ １１０ａ、１１０ｂ、および１１０ｃは、それぞれ、マクロセル１０２ａ、１０２ｂ、および１０２ｃのためのマクロｅＮＢである。ｅＮＢ １１０ｘは、ピコセル１０２ｘのためのピコｅＮＢである。また、ｅＮＢ １１０ｙおよび１１０ｚはそれぞれ、フェムトセル１０２ｙおよび１０２ｚのためのフェムトｅＮＢである。ｅＮＢは、１つまたは複数（例えば、２つ、３つ、４つ、等）のセルをサポートしうる。
【００１４】
ワイヤレスネットワーク１００はまた、中継局を含む。中継局は、アップストリーム局(例えば、ｅＮＢ、ＵＥ、等）からデータおよび／または他の情報の送信を受信し、ダウンストリーム局（例えば、別のＵＥ、別のｅＮＢ、等）にデータおよび／または他の情報の送信を送る局である。中継局はまた、他のＵＥのために送信を中継するＵＥでありうる。図１に示される例において、中継局１１０ｒは、ｅＮＢ １１０ａおよびＵＥ １２０ｒと通信しうる。この場合、中継局１１０ｒは、２つのネットワークエレメント（ｅＮＢ １１０ａおよびＵＥ １２０ｒ）間の通信を容易にするために、それらの間で中継として動作する。中継局は、中継ｅＮＢ、リレー、等とも呼ばれうる。
【００１５】
ワイヤレスネットワーク１００は、同期動作または非同期動作をサポートしうる。同期動作の場合、ｅＮＢは、類似したフレームタイミングを有し、異なるｅＮＢからの送信は時間的におおまかにアラインされうる。非同期動作の場合、ｅＮＢは、異なるフレームタイミングを有し、異なるｅＮＢからの送信は時間的にアラインされない可能性がある。
【００１６】
ネットワークコントローラ１３０は、ｅＮＢのセットに結合され、これらのｅＮＢ １１０に協調および制御を提供しうる。ネットワークコントローラ１３０は、バックホール１３２を介してｅＮＢ １１０と通信しうる。ｅＮＢ １１０はまた、例えば、直接的または間接的に、ワイヤレスバックホール１３４または有線バックホール１３６を介して互いに通信しうる。
【００１７】
ＵＥ １２０は、ワイヤレスネットワーク１００全体にわたって分散しており、各ＵＥは、固定されているか、モバイルでありうる。ＵＥはまた、端末、モバイル局、加入者ユニット、局、等とも呼ばれうる。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、等でありうる。ＵＥは、マクロｅＮＢ、ピコｅＮＢ、フェムｅＮＢ、リレー、等と通信することができる。図１において、両方向矢印の実線は、ＵＥと、ダウンリンクおよび／またはアップリンク上でＵＥにサービングするように指定されたｅＮＢであるサービングｅＮＢとの間の所望の送信を示す。両方向矢印の破線は、ＵＥとｅＮＢとの間の、干渉を引き起こす送信を示す。
【００１８】
ＬＴＥ／−Ａは、ダウンリンクでは直交周波数分割多重化（ＯＦＤＭ）を利用し、アップリンクでは単一キャリア周波数分割多重化（ＳＣ−ＦＤＭ）を利用する。ＯＦＤＭおよびＳＣ−ＦＤＭは、システム帯域幅を、通常、トーン、ビン、等とも呼ばれる複数の（Ｋ個の）直交サブキャリアに分割する。各サブキャリアは、データで変調されうる。一般的に、変調シンボルは、ＯＦＤＭを用いて周波数ドメインで送られ、ＳＣ−ＦＤＭＡを用いて時間ドメインで送られる。隣接するサブキャリア間の間隔は固定され、サブキャリアの総数（Ｋ）はシステム帯域幅に依存しうる。例えば、Ｋは、対応するシステム帯域幅１.２５、２.５、５、１０、または２０メガヘルツ（ＭＨｚ）に対し、それぞれ、１２８、２５６、５１２、１０２４、または２０４８と等しい可能性がある。システム帯域幅はまた、複数のサブ帯域に分割されうる。例えば、サブ帯域は、１.０８ＭＨｚをカバーし、対応するシステム帯域幅１.２５、２.５、５、１０、または２０ＭＨｚに対し、それぞれ、１、２、４、８、または１６個のサブ帯域と等しい可能性がある。
【００１９】
図２は、ＬＴＥ／−Ａで使用されるダウンリンクフレーム構造を示す。ダウンリンクのための送信タイムラインは、無線フレームの単位に分割されうる。各無線フレームは、あらかじめ決められた持続時間（例えば１０ミリ秒（ｍｓ））を有し、０〜９のインデックスを持つ１０個のサブフレームに分割されうる。各サブフレームは、２個のスロットを含みうる。したがって、各無線フレームは、０〜１９のインデックスを持つ２０個のスロットを含みうる。各スロットは、Ｌ個のシンボル期間、例えば通常のサイクリックプレフィックスの場合には７個のシンボル期間（図２に示されるように）、または拡張されたサイクリックプレフィックスの場合には６個のシンボル期間を含みうる。各サブフレームの２Ｌ個のシンボル期間は、０〜２Ｌ−１のインデックスが割り当てられうる。利用可能な時間周波数リソースは、リソースブロックに分割されうる。各リソースブロックは、１個のスロットでＮ個のサブキャリア（例えば、１２個のサブキャリア）をカバーしうる。
【００２０】
ＬＴＥ／−Ａにおいて、ｅＮＢは、そのｅＮＢにおける各セルに対して、プライマリ同期信号（ＰＳＳ）およびセカンダリ同期信号（ＳＳＳ）を送りうる。プライマリ同期信号およびセカンダリ同期信号は、図２において示されるように、通常のサイクリックプレフィックスの場合、各無線フレームのサブフレーム０および５の各々において、それぞれ、シンボル期間６および５で送られうる。同期信号は、セル検出および獲得のためにＵＥによって使用されうる。ｅＮＢは、サブフレーム０のスロット１におけるシンボル期間０〜３で物理ブロードキャストチャネル（ＰＢＣＨ）を送りうる。ＰＢＣＨは、特定のシステム情報を搬送しうる。
【００２１】
ｅＮＢは、図２において示されるように、各サブフレームの第１のシンボル期間で物理制御フォーマットインジケータチャネル（ＰＣＦＩＣＨ）を送りうる。ＰＣＦＩＣＨは、制御チャネルに使用されるシンボル期間の数（Ｍ）を伝達し、ここで、Ｍは、１、２、または３に等しく、サブフレームごとに変化しうる。Ｍはまた、例えば、１０未満のリソースブロックを持つ小さなシステム帯域幅では４に等しくなりうる。図２で示される例では、Ｍ＝３である。ｅＮＢは、各サブフレームの最初のＭ個のシンボル期間で、物理ＨＡＲＱインジケータチャネル（ＰＨＩＣＨ）および物理ダウンリンク制御チャネル（ＰＤＣＣＨ）を送りうる。ＰＤＣＣＨおよびＰＨＩＣＨはまた、図２に示された例では、最初の３個のシンボル期間に含まれる。ＰＨＩＣＨはハイブリッド自動再送信要求（ＨＡＲＱ）をサポートするために情報を搬送しうる。ＰＤＣＣＨは、ＵＥのためのリソース割当についての情報と、ダウンリンクチャネルのための制御情報とを搬送しうる。ｅＮＢは、各サブフレームの残りのシンボル期間で、物理ダウンリンク共有チャネル（ＰＤＳＣＨ）を送りうる。ＰＤＳＣＨは、ダウンリンクでのデータ送信にスケジューリングされたＵＥのためにデータを搬送しうる。
【００２２】
各サブフレームの制御セクション、すなわち、各サブフレームの第１のシンボル期間でＰＨＩＣＨおよびＰＤＣＣＨを送ることに加えて、ＬＴＥ−Ａはまた、各サブフレームのデータ部でこれらの制御向きのチャネル（control-oriented channel）を送信しうる。図２で示されているように、例えば、中継−物理ダウンリンク制御チャネル（Ｒ−ＰＤＣＣＨ）および中継−物理ＨＡＲＱインジケータチャネル（Ｒ−ＰＨＩＣＨ）のようなデータ領域を利用するこれらの新しい制御設計は、各サブフレームの後方のシンボル期間に含まれる。Ｒ−ＰＤＣＣＨは、もともと半二重中継動作に関連して開発されたデータ領域を利用する新しいタイプの制御チャネルである。１個のサブフレーム内の最初のいくつかの制御シンボルを占有するレガシＰＤＣＣＨおよびＰＨＩＣＨとは異なり、Ｒ−ＰＤＣＣＨおよびＲ−ＰＨＩＣＨは、もともとデータ領域として設計されたリソースエレメント（ＲＥ）にマッピングされる。この新しい制御チャネルは、周波数分割多重化（ＦＤＭ）、時分割多重化（ＴＤＭ）、またはＦＤＭとＴＤＭとの組合せの形態でありうる。
【００２３】
ｅＮＢは、ｅＮＢによって使用されるシステム帯域幅の中心１.０８ＭＨｚでＰＳＳ、ＳＳＳ、およびＰＢＣＨを送りうる。ｅＮＢは、ＰＣＦＩＣＨおよびＰＨＩＣＨが送られる各シンボル期間に、システム帯域幅全体にわたってこれらのチャネルを送りうる。ｅＮＢは、システム帯域幅の特定の部分でＵＥのグループにＰＤＣＣＨを送りうる。ｅＮＢは、システム帯域幅の特定の部分で特定のＵＥにＰＤＳＣＨを送りうる。ｅＮＢは、ＰＳＳ、ＳＳＳ、ＰＢＣＨ、ＰＣＦＩＣＨ、およびＰＨＩＣＨをブロードキャスト方式で全てのＵＥに送り、ＰＤＣＣＨをユニキャスト方式で特定のＵＥに送り、同様に、ＰＤＳＣＨをユニキャスト方式で特定のＵＥに送りうる。
【００２４】
多数のリソースエレメントが、各シンボル期間で利用可能でありうる。各リソースエレメントは、１個のシンボル期間において１個のサブキャリアをカバーし、実数または複素数でありうる１個の変調シンボルを送るために使用されうる。各シンボル期間において基準信号に使用されないリソースエレメントは、リソースエレメントグループ（ＲＥＧ）へと配置されうる。各ＲＥＧは、１個のシンボル期間に４個のリソースエレメントを含みうる。ＰＣＦＩＣＨは、シンボル期間０において、周波数にわたってほぼ均等に間隙が空けられうる４個のＲＥＧを占有しうる。ＰＨＩＣＨは、１個以上の構成可能なシンボル期間において、周波数にわたって拡散されうる３個のＲＥＧを占有しうる。例えば、ＰＨＩＣＨのための３個のＲＥＧはすべてがシンボル期間０に属するか、または、シンボル期間０、１、および２に拡散されうる。ＰＤＣＣＨは、最初のＭ個のシンボル期間において、利用可能なＲＥＧから選択されうる９、１８、３２、または６４個のＲＥＧを占有しうる。ＲＥＧの特定の組み合せのみが、ＰＤＣＣＨに対して許可されうる。
【００２５】
ＵＥは、ＰＨＩＣＨおよびＰＣＦＩＣＨに使用される特定のＲＥＧについて知りうる。ＵＥは、ＰＤＣＣＨのためにＲＥＧの異なる組み合せを探索しうる。探索すべき組み合せの数は典型的に、ＰＤＣＣＨに対して許可される組み合せの数よりも少ない。ｅＮＢは、ＵＥが探索するであろう組み合せのいずれかでＵＥにＰＤＣＣＨを送りうる。
【００２６】
ＵＥは、複数のｅＮＢのカバレッジ内にいる可能性がある。これらのｅＮＢのうちの１つが、ＵＥをサービングするために選択されうる。サービングｅＮＢは、受信電力、パス損失、信号対ノイズ比（ＳＮＲ）、等、様々な基準に基づいて選択されうる。
【００２７】
図１に戻って参照すると、ワイヤレスネットワーク１００は、ｅＮＢ １１０（すなわち、マクロｅＮＢ、ピコｅＮＢ、フェムトｅＮＢ、およびリレー）の様々なセットを使用して、単位面積（unit area）あたりのシステムのスペクトル効率を改善する。ワイヤレスネットワーク１００は、そのスペクトルカバレッジに対してそのような異なるｅＮＢを使用するため、異種ネットワークとも呼ばれうる。マクロｅＮＢ １１０ａ〜ｃは通常、ワイヤレスネットワーク１００のプロバイダによって注意深く計画され、配置される。マクロｅＮＢ １１０ａ〜ｃは一般的に、高い電力レベル（例えば、５Ｗ〜４０Ｗ）で送信する。一般的に、かなり低い電力レベル（例えば、１００ｍＷ〜２Ｗ）で送信するピコｅＮＢ １１０ｘおよび中継局１１０ｒは、マクロｅＮＢ １１０ａ〜ｃによって提供されるカバレッジエリア内のカバレッジホールを無くし、ホットスポットにおける容量（capacity）を改善するために、比較的計画外なやり方で展開されうる。それにもかかわらず、リソース調整および干渉管理の調整を実行するために、典型的にワイヤレスネットワーク１００から独立して展開されるフェムトｅＮＢ １１０ｙ〜ｚが、それらの管理者によって権限が与えられている場合には、ワイヤレスネットワーク１００への潜在的なアクセスポイントとして、または、少なくとも、ワイヤレスネットワーク１００の他のｅＮＢ １１０と通信しうるアクティブかつアウェア（aware）なｅＮＢとして、ワイヤレスネットワーク１００のカバレッジエリアに組み込まれうる。フェムトｅＮＢ １１０ｙ〜ｚも典型的に、マクロｅＮＢ １１０ａ〜ｃよりもかなり低い電力レベル（例えば、１００ｍＷ〜２Ｗ）で送信する。
【００２８】
ワイヤレスネットワーク１００のような異種ネットワークにおいて、マクロｅＮＢ １００ａ〜ｃのような、より高い動力源のｅＮＢから送信されたより強いダウンリンク信号が存在する状況で、ピコｅＮＢ １１０ｘまたはフェムトｅＮＢ １１０ｙ〜ｚのような、より低い動力源のｅＮＢからサービスをＵＥが取得するために、より低い動力源のピコｅＮＢ １１０ｘ〜ｚは、マクロｅＮＢ １１０ａ〜ｃのうち主に干渉を引き起こすものと、制御チャネルおよびデータチャネルの干渉調整に従事する。干渉調整のための多くの異なる技法が、干渉を管理するために用いられうる。例えば、セル内干渉協調（ＩＣＩＣ：inter-cell interference coordination）は、共同チャネル展開におけるセルからの干渉を減らするために使用されうる。１つのＩＣＩＣメカニズムは適応リソース分割である。適応リソース分割は、特定のｅＮＢにサブフレームを割り当てる。第１のｅＮＢに割り当てられたサブフレームでは、隣接ｅＮＢは送信しない。ゆえに、第１のｅＮＢがサービングするＵＥによって経験される干渉は減らされる。サブフレーム割当は、アップリンクチャネルおよびダウンリンクチャネルの両方で実行されうる。
【００２９】
例えば、サブフレームは、保護／干渉のないサブフレーム（Ｕサブフレーム）、禁止／干渉のないサブフレーム（Ｎサブフレーム）、および共通／干渉制限されたサブフレーム（Ｃサブフレーム）という３つのクラスのサブフレーム間で割り付けられうる。保護サブフレームは、第１のｅＮＢによる排他的な使用のために、第１のｅＮＢに割り当てられる。保護サブフレームはまた、隣接ｅＮＢからの干渉が無いことに基づいて、「クリーン」サブフレームとも呼ばれうる。禁止サブフレームは、隣接ｅＮＢに割り当てられたサブフレームであり、第１のｅＮＢは、この禁止サブフレームの間、データを送信することが禁止されている。例えば、第１のｅＮＢの禁止サブフレームは、干渉を引き起こす第２のｅＮＢの保護サブフレームに対応しうる。このように、第１のｅＮＢは、第１のｅＮＢの保護サブフレームの間にデータを送信する唯一のｅＮＢである。共通サブフレームは、複数のｅＮＢによるデータ送信のために使用されうる。共通サブフレームは、その他のｅＮＢからの干渉の可能性ゆえに、「クリーンでない」サブフレームとも呼ばれうる。
【００３０】
少なくとも１つの保護サブフレームが、期間毎に静的に割り当てられる。いくつかのケースにおいては、１つの保護サブフレームだけが静的に割り当てられる。例えば、期間が８ミリ秒である場合、１つの保護サブフレームが、毎８ミリ秒の間、ｅＮＢに静的に割り当てられうる。他のサブフレームは、動的に割り付けられうる。
【００３１】
適応リソース分割情報（ＡＲＰＩ）は、非静的に割り当てられるサブフレームが動的に割り付けられることを可能にする。保護サブフレーム、禁止サブフレーム、または共通サブフレームのいずれもが動的に割り付けられうる（それぞれＡＵ、ＡＮ、ＡＣサブフレーム）。動的な割当は、例えば、１００ミリ秒またはそれ未満ごとなど、急激に変化する。
【００３２】
異種ネットワークは、異なる電力クラスのｅＮＢを有しうる。例えば、電力クラスが高いものから、マクロｅＮＢ、ピコｅＮＢ、およびフェムトｅＮＢとして、３つの電力クラスが定義されうる。マクロｅＮＢ、ピコｅＮＢ、およびフェムトｅＮＢが共同チャネル展開である場合、マクロｅＮＢ（攻撃側ｅＮＢ）の電力スペクトル密度（ＰＳＤ）は、ピコｅＮＢおよびフェムトｅＮＢ（被害側ｅＮＢ）のＰＳＤよりも大きく、ピコｅＮＢおよびフェムトｅＮＢに大量の干渉を引き起こしうる。保護サブフレームは、ピコｅＮＢおよびフェムトｅＮＢへの干渉を減らすまたは最小化するために使用されうる。すなわち、保護サブフレームは、攻撃側ｅＮＢの禁止サブフレームに一致するように、被害側ｅＮＢについてスケジューリングされうる。
【００３３】
図３は、本開示の一態様にしたがった異種ネットワークにおける時分割多重化（ＴＤＭ）分割を示すブロック図である。第１の行のブロックは、フェムトｅＮＢについてのサブフレーム割当を示し、第２の行のブロックは、マクロｅＮＢについてのサブフレーム割当を示す。ｅＮＢの各々は、もう一方のｅＮＢが静的な禁止サブフレームを有する間、静的な保護サブフレームを有する。例えば、フェムトｅＮＢは、サブフレーム０での禁止サブフレーム（Ｎサブフレーム）に対応して、サブフレーム０で保護サブフレーム（Ｕサブフレーム）を有する。同様に、マクロｅＮＢは、サブフレーム７での禁止サブフレーム（Ｎサブフレーム）に対応して、サブフレーム７で保護サブフレーム（Ｕサブフレーム）を有する。サブフレーム１〜６は、保護サブフレーム（ＡＵ）、禁止サブフレーム（ＡＮ）、および共通サブフレーム（ＡＣ）のいずれかとして動的に割り当てられる。サブフレーム５および６における動的に割り当てられた共通サブフレーム（ＡＣ）の間、フェムトｅＮＢとマクロｅＮＢの両方はデータを送信しうる。
【００３４】
保護サブフレーム（Ｕ／ＡＵサブフレームのような）は、攻撃側ｅＮＢが送信することを禁止されているため、干渉が低く、チャネル品質が高い。禁止サブフレーム（Ｎ／ＡＮサブフレームのような）は、被害側ｅＮＢが低い干渉レベルでデータを送信できるように、データ送信を有していない。共通サブフレーム（Ｃ／ＡＣサブフレームのような）は、データを送信する隣接ｅＮＢの数に依存したチャネル品質を有する。例えば、隣接ｅＮＢが共通サブフレーム上でデータを送信している場合、共通サブフレームのチャネル品質は、保護サブフレームよりも低い可能性がある。共通サブフレーム上のチャネル品質はまた、攻撃側ｅＮＢから強く影響を受ける拡張された境界エリア（ＥＢＡ）のＵＥについて、より低い可能性がある。ＥＢＡのＵＥは、第１のｅＮＢに属しうるが、第２のｅＮＢのカバレッジエリアに位置付けされうる。例えば、フェムトｅＮＢのカバレッジのレンジ限界に近いマクロｅＮＢと通信するＵＥは、ＥＢＡのＵＥである。
【００３５】
図４は、基地局／ｅＮＢ １１０およびＵＥ １２０の設計のブロック図を示す。これらは、図１における基地局／ｅＮＢのうちの１つと、ＵＥのうちの１つとでありうる。制限付きの関連シナリオでは、ｅＮＢ １１０は、図１におけるマクロｅＮＢ １１０であり、ＵＥ １２０は、ＵＥ １２０ｙでありうる。ｅＮＢ １１０はまた、ある他のタイプの基地局でありうる。ｅＮＢ １１０は、アンテナ４３４ａ〜４３４ｔを備え、ＵＥ １２０は、アンテナ４５２ａ〜４５２ｒを備えうる。
【００３６】
ｅＮＢ １１０において、送信プロセッサ４２０は、データソース４１２からデータを受信し、コントローラ／プロセッサ４４０から制御情報を受信する。制御情報は、ＰＢＣＨ、ＰＣＦＩＣＨ、ＰＨＩＣＨ、ＰＤＣＣＨ、等についてのものでありうる。データは、ＰＤＳＣＨ、等についてのものでありうる。送信プロセッサ４２０は、このデータおよび制御情報を処理（例えば、符号化およびシンボルマッピング）して、それぞれデータシンボルと制御シンボルとを取得しうる。送信プロセッサ４２０はまた、例えば、ＰＳＳ、ＳＳＳ、およびセル固有基準信号のための基準シンボルを生成しうる。送信（ＴＸ）多入力多出力（ＭＩＭＯ）プロセッサ４３０は、適用可能であれば、これらのデータシンボル、制御シンボル、および／または基準シンボルに対して空間処理（例えば、プレコーディング）を実行し、変調器（ＭＯＤ）４３２ａ〜４３２ｔに出力シンボルストリームを提供しうる。各変調器４３２は、それぞれの出力シンボルストリーム（例えば、ＯＦＤＭ、等のための）を処理して、出力サンプルストリームを取得しうる。各変調器４３２はさらに、これらの出力サンプルストリームを処理（例えば、アナログ変換、増幅、フィルタリング、アップコンバート）して、ダウンリンク信号を取得しうる。変調器４３２ａ〜４３２ｔからのダウンリンク信号はそれぞれ、アンテナ４３４ａ〜４３４ｔを介して送信されうる。
【００３７】
ＵＥ １２０において、アンテナ４５２ａ〜４５２ｒは、これらのダウンリンク信号をｅＮＢ １１０から受信し、受信された信号をそれぞれ復調器（ＤＥＭＯＤ）４５４ａ〜４５４ｒに提供しうる。各復調器４５４は、それぞれの受信された信号を調整（例えば、フィルタリング、増幅、ダウンコンバート、デジタル化）して、入力サンプルを取得しうる。各復調器４５４はさらに、これらの入力サンプル（例えば、ＯＦＤＭ、等のための）を処理して、受信シンボルを取得する。ＭＩＭＯ検出器４５６は、すべての復調器４５４ａ〜４５４ｒからの受信シンボルを取得し、適用可能であれば、これらの受信シンボルに対してＭＩＭＯ検出を実行して、検出シンボルを提供する。受信プロセッサ４５８は、これらの検出シンボルを処理（例えば、復調、デインターリーブ、復号）して、ＵＥ １２０についての復号データをデータシンク４６０に提供し、復号された制御情報をコントローラ／プロセッサ４８０に提供しうる。
【００３８】
アップリンク上では、ＵＥ １２０において、送信プロセッサ４６４は、データソース４６２からデータ（例えば、ＰＵＳＣＨのための）を受信して処理し、コントローラ／プロセッサ４８０から制御情報（例えば、ＰＵＣＣＨのための）を受信して処理しうる。送信プロセッサ４６４はまた、基準信号についての基準シンボルを生成しうる。送信プロセッサ４６４からのこれらのシンボルは、適用可能であれば、ＴＸ ＭＩＭＯプロセッサ４６６によってプリコーディングされ、復調器４５４ａ〜４５４ｒ（例えば、ＳＣ−ＦＤＭ、等のための）によってさらに処理され、ｅＮＢ １１０に送信されうる。ｅＮＢ １１０において、ＵＥ １２０からのアップリンク信号は、アンテナ４３４によって受信され、変調器４３２によって処理され、適用可能であればＭＩＭＯ検出器４３６によって検出され、受信プロセッサ４３８によってさらに処理され、ＵＥ １２０によって送られた、復号されたデータおよび制御情報が取得されうる。プロセッサ４３８は、復号されたデータをデータシンク４３９に提供し、復号された制御情報をコントローラ／プロセッサ４４０に提供しうる。
【００３９】
コントローラ／プロセッサ４４０および４８０は、それぞれ、ｅＮＢ １１０およびＵＥ １２０における動作を指揮しうる。コントローラ／プロセッサ４４０および／またはｅＮＢ １１０の他のプロセッサおよびモジュールは、本明細書で説明される技法の様々なプロセスの実行を実行または指揮しうる。コントローラ／プロセッサ４８０および／またはＵＥ １２０の他のプロセッサおよびモジュールは、図６、８、９、および１１〜１３で示される機能ブロック、および／または、本明細書で説明される技法の他のプロセス、の実行を実行または命令しうる。メモリ４４２および４８２はそれぞれ、ｅＮＢ １１０およびＵＥ １２０のためにデータおよびプログラムコードを記憶しうる。スケジューラ４４４は、ダウンリンクおよび／またはアップリンクでのデータ送信のためにＵＥをスケジュールしうる。
【００４０】
ＬＴＥネットワークにおいて、ダウンリンク送信のためのデータ送信レートは、無線チャネル条件を活用するように適応する。ダウンリンクレート適応は、送信の変調オーダおよびコードレートを包含する変調およびコード化スキーム（ＭＣＳ）、および、ＵＥのＰＤＳＣＨ送信に適用されうる転送ブロック（ＴＢ）カウントを適応させることを指す。この適応は一般的に、所望のＨＡＲＱ終了成功率を満たすために無線チャネル条件に基づく。一般的に、ダウンリンクレート適応プロシージャは、報告されたチャネル品質インジケータ（ＣＱＩ）、ランクインジケータ（ＲＩ）、およびＰＤＳＣＨ送信のＨＡＲＱ送信ステータス（ＡＣＫ／ＮＡＣＫ）のようなＵＥからの入力を利用する。ダウンリンクレート適応プロシージャはまた、ＵＥのドップラ状態（概して、アップリンク送信に基づきｅＮＢで推測される）およびＵＥのダウンリンク送信モードを使用しうる。
【００４１】
ＬＴＥ異種ネットワークにおいて、ダウンリンクフレームが干渉のないサブフレーム（例えば、保護／禁止サブフレーム、Ｕ、Ｎ、ＡＵ、ＡＮ）と、干渉制限されたサブフレーム（例えば、共通サブフレーム、Ｃ、ＡＣ）との間で分割される場合、ＬＴＥ ｅＮＢは、１つは干渉のないサブフレーム用であり、１つは干渉制限されたサブフレーム用である２つの独立したレート適応ループを動作させる。各ループは、ダウンリンクレートを適切なＭＣＳおよびＴＢカウントに適応させるために、特定のサブフレームタイプに対応するＵＥ入力（例えば、ＣＱＩ、ＲＩ、ＨＡＲＱ送信ステータス）および条件（例えば、ドップラ状態およびダウンリンク送信モード）を使用する。
【００４２】
ＨｅｔＮｅｔ環境において、衝突を生じさせる干渉信号（ＲＳ）で、隣接セルによってたらされる干渉がある場合、干渉制限されたサブフレームについてＵＥが報告するランクは、干渉のないサブフレームについて報告されるランクよりも低い可能性がある。しかしながら、隣接セルが部分的にしかロードされていない場合、干渉のない報告ランクが干渉制限されたサブフレームでも利用されることとなった場合、ＵＥは、所望のＰＤＳＣＨ復号性能を維持することができる。そのような能力により、ＵＥは、干渉制限されたサブフレームにおける受信スループットを高めることができる。これを達成するために、干渉制限されたサブフレームのためのレート適応ブロックはまた、ＭＣＳおよびＴＢカウントをより良好に推定するために、干渉のないレート適応ブロックに利用可能な入力を利用しうる。
【００４３】
図５は、本開示の一態様にしたがって構成されたレート適応システム５０を示すブロック図である。ＵＥ ５００は、干渉のないサブフレームと干渉制限されたサブフレームの両方の様々なチャネル品質メトリックを測定する。ＵＥ ５００は、干渉のないチャネル品質報告モジュール５０３および干渉制限されたチャネル報告モジュール５０４を通して、チャネル品質メトリックの両方のセットをｅＮＢ ５０１に報告する。ＵＥ ５００はまた、ＨＡＲＱステータスをｅＮＢ ５０１に報告する。ｅＮＢ ５０１において、コンテンツモジュール５０６は、２つの独立したレート適応ブロック５０７および５０８を含む。レート適応ブロック５０７および５０８は、ＵＥ ５００から送信されたチャネル品質メトリックおよびＨＡＲＱステータスを使用して、ダウンリンクＰＤＳＣＨスケジューリングブロック５０５においてＭＣＳおよびＴＢカウントを設定する。ダウンリンクＰＤＳＣＨスケジューリングブロック５０５は、ＵＥ ５００がアップリンク送信特性をスケジューリングおよび設定するために、ＵＥ ５００のＰＤＳＣＨ復号モジュール５０２に、干渉のないサブフレームおよび干渉制限されたサブフレームの両方についてのＰＤＳＣＨを送信する。
【００４４】
ｅＮＢ ５０１は、初期ランク値として、干渉制限されたチャネル品質を使用する。次に、それは、ランクが干渉制限されたサブフレーム上で増加されうる最大値として、ＵＥによって報告された干渉のないランクを用いて経験される様々なチャネル条件（例えば、ＨＡＲＱ、ＳＩＮＲ、ＣＱＩ、等）に基づいて、ランクを徐々に増加または減少させる。このように、これらのチャネル条件に基づいて、ｅＮＢ ５０１は、ＵＥ ５００によって報告された干渉制限されたランクインジケータを無視しうる。
【００４５】
図６は、本開示の一態様にしたがって構成されたステートマシン６０を示す図である。各ＵＥのためのスケジューラのランク選択部は、３つのステートマシンとして表されると想定され、それらの状態は、（１）状態６０２：最後に報告されたＲＩ＿ｉｌｉｍｉｔｅｄ＝１であり、ＡＣサブフレーム上のscheduling ＲＩが１に等しい；（２）状態６０３：最後に報告されたＲＩ＿ｌｉｍｉｔｅｄ＝２であり、ＡＣサブフレーム上のscheduling ＲＩが２に等しい；および（３）状態６０４：最後に報告されたＲＩ＿ｌｉｍｉｔｅｄ＝１であるが、ＡＣサブフレーム上のscheduling ＲＩは２に等しく。状態６０２および６０３は、基準的な報告されたランク状態６００であり、これに対して、状態６０４は、ｅＮＢスケジューラが、ＵＥによって報告されたＲＩに関して異なる決定を行うシナリオを管理するために導入される新しい仮想ランク状態６０１である。
【００４６】
図６のステートマシン６０が、本開示の様々な態様で使用されうるステートマシンの単なる一例であることに注意されたい。ステートマシン６０は、特に、２つの可能な送信レイヤだけが利用可能なシナリオに限定される。本開示の態様は、任意の数の利用可能な送信レイヤに適用可能でありうる。例えば、８つのアンテナを備えたシステムにおいて、ｅＮＢは、最大で８つの送信レイヤを選択しうる。そのようなシステムにおいて、ステートマシン６０は、最大で８のＲＩに順応する（accommodate）ためにさらなる状態を含むだろう。本開示は、ステートマシン６０に同等のステートマシンにおいて、特定の数のアンテナ、利用可能な送信レイヤ、または状態に制限されない。
【００４７】
上述されたように、ＵＥによって報告されたランクから干渉制限されたランクを増加させるか減少させるかを決定する際、ランクの増加または減少の適切性を決定するために様々なチャネル条件が使用されうる。特定の設計パラメータは、ＭＣＳを調整する代わりにランクを増加または減少させることをｅＮＢが決定しうる測定可能な遷移点を提供するために選択されうる。これらの設計パラメータ間の関連性は、スペクトル効率カーブのセットによって表されうる。第１のカーブΦは、選択されたチャネル条件（例えば、ＳＩＮＲ、ＣＱＩ、等）と、報告ランクのＭＣＳレベルとの間の関連性として、このスペクトル効率を表す。選択されたチャネル条件は、ｅＮＢのスケジューラが所与のＵＥに対して想定する条件でありうる。例えば、ＳＩＮＲが選択された場合、このＳＩＮＲは、所与のＵＥについてｅＮＢのスケジューラが想定するものであり、それは一般的に、報告ＣＱＩと、閉ループＣＱＩバックオフアルゴリズムに基づいてｅＮＢで適用される修正との組み合せである。
【００４８】
第２のカーブΨは、選択されたチャネル条件と、仮想ランク、すなわち、報告ランクとは異なる、ｅＮＢによって割り当てられたランク、のＭＣＳレベルとの間の関連性としてスペクトル効率を表す。これらのスペクトル効率カーブΦおよびΨは、離散値へと量子化され、適切なランク割当を分析する際に、ｅＮＢによってメモリに記憶されるルックアップテーブルとして使用されうる。
【００４９】
ステートマシン６０の例示的な動作において、干渉制限されたサブフレームについて最後に報告されたＲＩが１である場合、初期状態６０２がｅＮＢによってスケジューリングされる。状態６０２は、ｅＮＢがＵＥとの接続をモニタリングする前に、ランク１状態に対応する。
【００５０】
干渉制限されたサブフレームのＵＥによって報告された次のＲＩが２に変更されると、ｅＮＢスケジューラは、ダウンリンクレートの状態を状態６０３に変更する。この遷移は、新しいＲＩのＵＥ報告に基づく。
【００５１】
再度、状態６０２を起点として、干渉のないサブフレームのＵＥによって報告されたＲＩが２であり、信号対干渉およびノイズ比（ＳＩＮＲ）が設定パラメータγｉｎよりも大きい場合、ｅＮＢスケジューラは、仮想ランク状態６０１内の状態６０４に切り替えるだろう。設定パラメータγｉｎは、ｅＮＢにランクを増やすように示す、報告ランクのスペクトル効率カーブΦ（ＳＩＮＲ）内の選択されたチャネル条件（例えば、図６で使用されるようなＳＩＮＲ）の値を表す。ＵＥが干渉制限されたサブフレームについてのＲＩを２と報告することに基づいた状態６０３への遷移とは異なり、状態６０４への遷移は、ＵＥのＳＩＮＲがγｉｎよりも大きい測定された閾値を達成したことに基づく。
【００５２】
状態６０４から、干渉のないサブフレームのＵＥによって報告された次のＲＩが１である場合、または、ＳＩＮＲが設定パラメータγｏｕｔよりも小さい場合、ｅＮＢスケジューラは、報告されたランク状態６００内の状態６０２に切り替わるだろう。設定パラメータγｏｕｔは、ｅＮＢにランクを減らすように示す、仮想ランクスペクトル効率カーブΨ（ＳＩＮＲ）内の選択されたチャネル条件の値を表す。
【００５３】
現在の状態が状態６０４であるときに、干渉制限されたサブフレームのＵＥによって報告された次のＲＩが２である場合、スケジューラは、報告されたランク状態６００の状態６０３に変化する。
【００５４】
本開示の代替的な態様において、ＵＥによって報告された最後のＲＩは２であるが、仮想ランク状態６０１の状態６０５においてｅＮＢスケジューラがＲＩを１に減らす第４の状態６０５が定義されうることに注意されたい。
【００５５】
表１は、ステートマシン６０（図６）の条件および各状態におけるスケジューリング挙動を実現するためのアルゴリズムの疑似コード表示である。γｉｎ、γｏｕｔ、およびγｈｉｓｔは、設定パラメータを表し（ｄＢで）、γｈｉｓｔ≦γｏｕｔ≦γｉｎであること、および、ＳＩＮＲが、ポスト外部ループ（post-outer-loop）ＳＩＮＲ（ｄＢ表現を使用して、ＵＥによって報告された最後のＣＱＩを現在のループ値と組み合わせることによってｅＮＢスケジューラによって取得される）をｄＢで表すことに注意されたい。この例において、ｅＮＢは、ランクに関係なく、単一のバックオフループを保持する。さらに、Φ（ＳＩＮＲ）およびΨ（ＳＩＮＲ）カーブについての２つのルックアップテーブルは、スケジューリングランクが、ＵＥによって報告されたランクと等しい場合、または、それが不一致である場合にそれぞれ、scheduling ＭＣＳを、ループ後のＳＩＮＲの関数として戻す。Φ（ＳＩＮＲ）が基準スケジューラに対して変化しない一方で、Ψ（ＳＩＮＲ）は、オフライン計算を通して最適化されうる新しいルックアップテーブルであることに注意されたい。一般的に、Ψ（ＳＩＮＲ）＜Φ（ＳＩＮＲ）が、すべてのＳＩＮＲ値に対して期待される。例として、スペクトル効率が、所与のＭＣＳのη（ＭＳＣ）（チャネル使用ごとのビットで）で表される場合、最も単純な選択は、２×η
[Ψ(ＳＩＮＲ)] = η
[Φ（ＳＩＮＲ）]を可能な限り大きくすることを確実にする（ＭＣＳの量子化により、等式は、すべてのＳＩＮＲに対しては達成されない可能性が高い）。
【表１】
0005755811.tif 000002
【００５６】
図７は、報告ランクΦ（ＳＩＮＲ）７００および仮想ランクΨ（ＳＩＮＲ）７０１のスペクトル効率カーブを示すグラフ７０である。カーブのｘ軸７０２は、ＭＣＳ設定を表し、ｙ軸７０３は、ＳＩＮＲを表す。点７０４において、ｅＮＢスケジューラは、ＳＩＮＲのγｈｉｓｔで、スペクトル効率Φ（ＳＩＮＲ）７００カーブの最大ＭＣＳの飽和点に到達する。しかしながら、最大ＭＣＳおよびγｈｉｓｔで仮想ランクΨ（ＳＩＮＲ）７０１カーブに切り替える代わりに、スペクトル効率カーブが、関連したルックアップテーブルにおいて量子化されたステップを有するため、ｅＮＢスケジューラが、γｏｕｔでのエントリ量子化点７０６において仮想ランクΨ（ＳＩＮＲ）７０１カーブに切り替わった後、スペクトル効率は、γｉｎでの点７０５に増加し続けるだろう。仮想ランクΨ（ＳＩＮＲ）７０１カーブ上で２に設定されている仮想ランクの場合、スペクトル効率は、点７０７のように、最大ＭＣＳを超えて、および、ＳＩＮＲ γｉｎを超えて増加し続けうる。
【００５７】
グラフ７０に示されるように、ＵＥによって報告されたランクが一定であり続ける場合、干渉制限されたランクを１のＲＩから２のＲＩに、または、２のＲＩから１のＲＩに切り替わるのに先立って、干渉制限されたサブフレームのＭＣＳ（ＭＳＣ＿ｉｌｉｍｉｔｅｄ）は、ｅＮＢスケジューラが現在使用している特定のスペクトル効率カーブに沿って徐々に増加または減少しうる。ステートマシン６０（図６）の実現を用いたレート適応システム５０（図５）の例示的な動作において、ＣＱＩ＿ｉｆｒｅｅ＝１４であり、ＲＩ＿ｉｆｒｅｅ＝２であり、ＣＱＩ＿ｉｌｉｍｉｔｅｄ＝８であり、ＲＩ＿ｉｌｉｍｉｔｅｄ＝１であると想定する。ＲＩ＿ｉｌｉｍｉｔｅｄは、１に維持され、ＨＡＲＱ終了成功率が所望の比率よりも良い場合、計算されるＭＣＳ＿ｉｌｉｍｉｔｅｄは徐々に増加しうる。ＭＣＳ＿ｉｌｉｍｉｔｅｄがその飽和点（すなわち可能な最大値）に到達すると、干渉制限されたサブフレームについてのレート適応ブロックは、干渉のないサブフレームの同じランクインジケータ、例えば、ＲＩ＿ｉｆｒｅｅ（＝２）の使用に遷移し、それによって、スループットをさらに増加させるためにスケジューリングされうるＴＢカウント推定の数を増加させる。このＲＩ遷移点において、計算されるＭＣＳ＿ｉｌｉｍｉｔｅｄは、再調整され、それによって、サービングされるスループットの持続性を維持しうる。次に、ＭＣＳ＿ｉｌｉｍｉｔｅｄは、再度、所望のＨＡＲＱ成功率を目標とするために、徐々に増加しうる。ＲＩに切り替わる前のＨＡＲＱ成功率の測定に基づいたＭＣＳの徐々の増加または減少は、バックオフループと呼ばれる。
【００５８】
１から２へのＲＩ＿ｉｌｉｍｉｔｅｄのｅＮＢ始動の遷移の後、ＨＡＲＱ終了成功率が、所望の比率を下回って降下し始めると、ＭＣＳ＿ｉｌｉｍｉｔｅｄは、まず、ＲＩ＿ｌｉｍｉｔｅｄ＝２を維持しながら、徐々に減少する。ＨＡＲＱ成功率がＭＣＳ＿ｉｌｉｍｉｔｅｄを減少させることでも満たされない場合、ＲＩ＿ｉｌｉｍｉｔｅｄは、ＵＥによって報告されたチャネル条件に基づいて、ある所望の閾値で１に遷移されうる。
【００５９】
干渉制限されたサブフレームについてのＲＩレベルの切り替えを制御するために、ダウンリンク送信の性能および条件をモニタリングするバックオフループが使用される。図８は、本開示の一態様を実現するように実行された例示的なブロックを示す機能ブロック図である。ブロック８００において、ｅＮＢスケジューラは、ＲＩ＿ｉｌｉｍｉｔｅｄ＝１で動作しており、ＭＣＳレベルが上限値に到達したか否かを決定する。上限に到達していない場合、ブロック８０１において、スケジューラは、ＲＩ＿ｉｌｉｍｉｔｅｄを１に維持する。しかしながら、ＭＣＳ上限に到達している場合、ブロック８０２において、スケジューラは、ＲＩ＿ｉｌｉｍｉｔｅｄを２に切り替える。ブロック８０３において、ＨＡＲＱ成功率が、そのターゲットレベルで維持されるか否かについての決定がなされる。維持される場合、ブロック８０４において、ｅＮＢスケジューラは、ＲＩ＿ｉｌｉｍｉｔｅｄを２に維持する。そうでなく、ＨＡＲＱ成功率がターゲットレベルでない場合、ブロック８０５において、ＭＣＳレベルが変更される。ＭＣＳレベルへの変更は、ＨＡＲＱ成功率がターゲット値よりも高いか低いかに依存するだろう。ブロック８０６において、ＭＣＳが下限に到達したか否かについての決定がなされる。到達している場合、ブロック８０７において、ｅＮＢスケジューラは、ＲＩ＿ｉｌｉｍｉｔｅｄを１に切り替える。そうでなく、ＭＣＳが下限に到達していない場合、このプロセスは、ＨＡＲＱ成功率の再チェックのためにブロック８０３に進む。この一連のプロシージャにしたがうことで、ｅＮＢは、そのダウンリンク送信レートを、そのＵＥについての性能および条件にしたがって適応させ、干渉制限されたサブフレームについてのＲＩが、ＵＥが報告したもの以外のものとなるように選択された場合、継続された性能をモニタリングする。仮想ランクインジケータに切り替わった後にダウンリンク性能が悪化した場合、ｅＮＢは、報告値に切り替えうる。
【００６０】
干渉空間性質に依存して、ＲＩ＿ｉｌｉｍｉｔｅｄが１から２にまたは２から１に切り替えられた場合に、大幅な性能不連続性が存在しうる。実際、説明する目的のために、ＵＥが、高指向性の干渉、例えば、主に、単一の隣接ｅＮＢから生じた干渉を経験し、そのｅＮＢは、ランク１でそれ自体のＵＥにサービングすると想定する。このケースにおいて、考慮されるＵＥがまた、単一のストリームでサービングされている場合、ＵＥでの受信処理は、信号および干渉を空間的に離すことができ、ゆえに、ＵＥは、平均のキャリア対干渉比（Ｃ／Ｉ）が、空間処理を考慮に入れずに、低い場合であっても、受信処理の後に、大きい信号対干渉比を経験しうる。サービングｅＮＢおよび干渉を引き起こすｅＮＢからの複雑なフェーディングチャネル行列、ならびにＵＥの受信処理およびＣＲＳ干渉キャンセレーションの効率に依存して、干渉を引き起こす主要な信号は、考慮されるシナリオにおいて、ＵＥによりほぼ完全にキャンセルされうる。しかしながら、アンテナの数以上の多数のストリームでＵＥがサービングされる場合、および／または、それが、フルランク（無指向性）の干渉を経験する場合、信号および干渉を直交化することがもはや可能ではないため、ＵＥにおける干渉抑制の効率は、劇的に低下する。
【００６１】
上記考慮に基づいて、ＲＩ＿ｉｌｉｍｉｔｅｄが、上述されたようなｅＮＢバックオフループにより１から２に遷移した場合、ＭＣＳがスループット持続性を維持するように調整された場合であっても、ブロック誤り率性能が大幅に劣化しうることがある。ｅＮＢのＣＱＩバックオフループがこの問題に対処するように変更されていない場合、ピンポン効果が発生し、この場合、schedulingＲＩ＿ｉｌｉｍｉｔｅｄは、ＭＣＳと共に、１と２との間で継続して交互に切り替えられ、ターゲットＨＡＲＱ成功率は達成されない可能性がある。
【００６２】
干渉を引き起こす信号がフルランクである場合（すなわち、すべての空間次元が等しく起こりうる―例えば、干渉を引き起こす複数の比較可能な信号が非コヒーレントにオーバーラップする場合）、ＵＥにおける空間干渉抑制は、もはや以前ほど効率的ではく、ＲＩ＿ｉｌｉｍｉｔｅｄ＝１とＲＩ＿ｉｌｉｍｉｔｅｄ＝２との間のブロック誤り率（ＢＬＥＲ）性能における不連続性は消滅するであろう。しかしながら、現在のＬＴＥ ＣＱＩ／ＲＩ報告スキームを用い、かつ、ＣＲＳ衝突の場合にＵＥが最適なＲＩを評価する方法に基づいて、ｅＮＢは、必ずしも、干渉の空間特性に気づくわけではないであろう。また、提案されるバックオフループは、干渉共分散行列特性にかかわりなく、ロバストであるべきである。
【００６３】
図８に戻り、本開示の代替的な態様において、ＲＩ値間で交互に切り替えるウィンドウを増加させるために、報告ＲＩについてのＭＣＳ上限（γｉｎ）は、仮想ＲＩ（γｏｕｔ）についてのＭＣＳ低限とは明確に異なるＳＩＮＲレベルに設定されうる。この構成は、ピンポン効果の機会を減らすだろう。
【００６４】
図９は、本開示の別の態様を実現するように実行された例示的なブロックを示す機能ブロック図である。そのような代替の態様において、ｅＮＢが周期的または非周期的に、ＵＥによって報告されたランクよりも高いランクに切り替えるプローブ信号を使用することによって、ピンポン効果が減らされうる。ブロック９００において、プローブは、ｅＮＢスケジューラがＲＩ＿ｉｌｉｍｉｔｅｄを２に一時的に切り替えると開始する。ｅＮＢは、ＲＩ＿ｉｌｉｍｉｔｅｄ＝１において達成されたレベルに一致するスループットを達成するために、ブロック９０１においてＭＣＳ設定を変更する。ブロック９０２において、ブロック誤り率（ＢＬＥＲ）が分析される。ブロック９０３において、平均ＢＬＥＲがターゲットレベルよりもかなり大きいか否かについての決定が行われる。大きくない場合、ブロック９０４において、ｅＮＢスケジューラは、ＭＣＳレベルが次にＲＩ＿ｉｌｉｍｉｔｅｄ＝１においてその最大レベルに到達すると、ＲＩ＿ｉｌｉｍｉｔｅｄを２に切り替えるように設定される。平均ＢＬＥＲがターゲット値よりもかなり大きい場合、ブロック９０５において、スケジューラは、ＭＣＳが次に、ＲＩ＿ｉｌｉｍｉｔｅｄ＝１においてその最大レベルに到達した場合にＲＩ＿ｉｌｉｍｉｔｅｄを１で維持するように設定される。換言すると、プローブが完了し、ＲＩ＿ｉｌｉｍｉｔｅｄが１で通常の動作に切り替えられると、ｅＮＢスケジューラは、ＭＣＳレベルがその最大レベルに次に到達した場合であっても、ＲＩ＿ｉｌｉｍｉｔｅｄを２に切り替えないだろう。ＢＬＥＲ分析は、条件がそのような切替をサポートしないであろうことを示している。ブロック９０６において、スケジューラは、プローブを止め、ＲＩ＿ｉｌｉｍｉｔｅｄを１に戻す。
【００６５】
図１０は、本開示の一態様にしたがって構成された、報告ランクΦ（ＳＩＮＲ）カーブおよび仮想ランクΨ（ＳＩＮＲ）カーブのスペクトル効率カーブと、複数のバックアップループとを示すグラフ１０００である。ＵＥによって報告されたＲＩを使用してスケジューリングされた際のダウンリンク送信の性能は、仮想ＲＩを使用した際のものとかなり異なりうる。そのため、図１０で説明された態様は、複数のバックオフループ、各状態につき１つ、を使用する。ｅＮＢが、ＵＥによって報告されたＲＩを使用してスケジューリンしている場合、ＵＥによって報告されたＲＩ状態（ＢＯ１）に関連付けられたバックオフループは、ＨＡＲＱ成功率を推定するためにＡＣＫ／ＮＡＣＫビットを使用する。同様に、ｅＮＢが仮想ＲＩを使用してスケジューリングしている場合、仮想ＲＩバックオフループ（ＢＯ２）は、ＢＯ２についてのＨＡＲＱ成功率を推定するために、仮想ＲＩで動作する際にＡＣＫ／ＮＡＣＫビットを使用する。２つのループＢＯ１およびＢＯ２は、２つの状態間の不連続性により、完全に異なる値に収束しうる。どの状態を選択するか決定する際、ｅＮＢは、どの状態がより高い、サービングされるスループットに帰着することとなるかを決定するために、２つのループＢＯ１およびＢＯ２を比較するだろう。
【００６６】
ＵＥによって報告されたＲＩを使用してダウンリンク送信をスケジューリングする際、ｅＮＢは、ＵＥから報告されたＣＱＩ１を受信する。バックオフループＢＯ１は、大きい正の値（例えば、＋１０ｄＢ、＋１２ｄＢ、等）として図１０に反映される。報告ランクΦ（ＳＩＮＲ）カーブ上のポスト外側ループは、報告されたＣＱＩ１＋ＢＯ１によって決定される。したがって、報告ＲＩを用いて動作する間、報告されたＣＱＩが上限γｉｎをかなり下回る場合であっても、ポスト外側ループは、スペクトル効率を上限γｉｎに配置する。ｅＮＢは、バックオフループＢＯ１を維持するために、報告されたＲＩで動作する間、ＡＣＫ／ＮＡＣＫビットを使用する。ＢＯ１のサイズは、報告されたＲＩにおける動作の一般的な信頼性を反映する。
【００６７】
仮想ＲＩを使用してダウンリンク送信をスケジューリングする間、ｅＮＢは、ＵＥから報告されたＣＱＩ２を受信する。仮想ランクバックオフループＢＯ２は、より小さい負の値（例えば、−５ｄＢ、−１０ｄＢ、等）として図１０に反映される。次に、仮想ランクΨ（ＳＩＮＲ）上のポスト外側ループは、報告されたＣＱＩ２＋ＢＯ２である。しかしながら、ＢＯ２が負の値であるため、ポスト外側ループは、より低い下限γｏｕｔに帰着し、それは、報告されたＣＱＩ２よりも低い。仮想ランクバックオフループＢＯ２の低い値はまた、仮想ランクでの動作のより低い信頼性を反映する。
【００６８】
多くの実例的なシナリオにおいて、干渉制限されたサブフレームに対して増加されたＲＩを使用することは、実際、ＵＥによって報告されたＲＩを使用した場合よりも低い性能につながる。本開示の代替的な態様において、バックオフループは、ｅＮＢが、性能をかなり低下させることを伴った考えうる時間長を経験することなく、ＵＥによって報告されたＲＩに迅速に戻ることを確実にするために、ｅＮＢが、ＵＥによって報告されたＲＩを用いてダウンリンク送信をスケジューリングしたか、仮想ＲＩを用いてスケジューリングしたかに依存して異なるループサイズを使用しうる。
【００６９】
図１１は、本開示の一態様を実現するように実行された例示的なブロックを示す機能ブロック図である。ブロック１１００において、ｅＮＢは、ＲＩ＿ｉｌｉｍｉｔｅｄ＝１を用いてダウンリンク送信のスケジューリングを開始する。ブロック１１０１において、ＨＡＲＱ成功率がターゲット値よりも低いか否かについての決定がなされる。低くない場合、ｅＮＢは、ブロック１１０１において、ＨＡＲＱ成功率をチェックし続ける。ＨＡＲＱ成功率がターゲットレベルよりも低い場合、ブロック１１０２において、ＭＣＳは、第１のステップサイズで増加する。ブロック１１０３において、ＭＣＳがその最大レベルに到達したか否かについての決定がなされる。到達していない場合、ｅＮＢは、ブロック１１０１において、ＨＡＲＱ成功率のモニタリングを継続する。最大レベルに到達してる場合、ブロック１１０４において、ｅＮＢは、ＲＩ＿ｉｌｉｍｉｔｅｄを２に切り替える。ｅＮＢは、ＨＡＲＱ成功率をモニタリングし、ブロック１１０５において、ＨＡＲＱ成功率がターゲットレベルよりも大きいか否かについての決定を行う。大きくない場合、ブロック１１０６において、ｅＮＢスケジューラは、ＲＩ＿ｉｌｉｍｉｔｅｄを２に維持する。ＨＡＲＱ成功率がターゲットレベルよりも大きい場合、ブロック１１０７において、スケジュールは、ＭＣＳを第２のステップサイズに減らすだろう。ここで、第２のステップサイズは、第１のステップサイズよりも大きい。ブロック１１０８において、ＭＣＳが、仮想ランク選択のために、その最小レベルに到達したか否かについての決定がなされる。到達していない場合、ｅＮＢは、ブロック１１０５において、ＨＡＲＱ成功率のモニタリングを継続する。ＭＣＳがその最小レベルに到達している場合、ブロック１１０９において、スケジューラは、ＲＩ＿ｉｌｉｍｉｔｅｄを１に切り替え、プロセスは、ブロック１１００での開始から繰り返す。この方法において、ｅＮＢスケジューラが、ＵＥによって報告されていないＲＩを選択した場合、より大きい第２のステッププサイズは、ｅＮＢがより適切なＲＩレベルにより迅速に戻ることを確実にする。
【００７０】
さらなる実用的なシナリオにおいて、適応的で可変なバックオフループレンジに順応することは有益でありうる。図１２は、本開示の一態様を実現するように実行される例示的なブロックを示す機能ブロック図である。ブロック１２００において、ひどい干渉条件（extreme interference condition）に順応するために、バックオフループレンジの調整が行われる。例えば、バーストな隣接ｅＮＢから干渉が発生した場合、ほとんどからまったく干渉がない期間の次に高い干渉の期間が続くであろう。そのような条件において、ｅＮＢスケジューラは、干渉を引き起こすｅＮＢの静かな持続時間に、ダウンリンク送信の期間が仮想ＲＩレベルを使用してスケジューリングされている際に、ｅＮＢがＵＥによって報告されたＲＩレベルに迅速に戻るために、比較的短いバックオフループレンジを維持するだろう。加えて、極めて低いデューティサイクルを有し、よって干渉パターンの変更が遅い干渉を引き起こす送信機から干渉が発生しうる。そのようなシナリオにおいて、ｅＮＢスケジューラは、バックオフループレンジを伸ばしうる。
【００７１】
ブロック１２０１において、バックオフループトリガイベントが、ｅＮＢによって検出される。例えば、トリガイベントは、ＵＥからの連続したＮＡＣＫのシーケンスを受信すること、または、最後の数のＨＡＲＱ報告の間、特定の数のＮＡＣＫを代替的に受信することとして定義されうる。そのようなトリガイベントの検出に応じて、ｅＮＢは、ブロック１２０２において、より広い範囲の送信条件に順応しうる特定の中立レンジに、バックオフループを設定するだろう。このように、ｅＮＢは、経験している現在の送信条件を処理するために、そのバックオフループレンジを適応することができるだろう。しかし、ループレンジが拡張状態のうちの１つの状態である間に、あるトリガイベントが検出された場合、ｅＮＢは、より広く受け入れられているサイズにループレンジを迅速に再設定しうる。
【００７２】
図１３は、本開示の一態様を実現するように実行される例示的なブロックを示す機能ブロック図である。ブロック１３００において、ｅＮＢスケジューラは、小さいレンジでバックオフループを開始する。ブロック１３０１において、バックオフループがその最大レンジに頻繁にヒットするか否かについての決定が行われる。ループが頻繁にその最大レンジにヒットしている場合、ブロック１３０２において、ｅＮＢは、徐々におよび漸進的にループレンジを増加させ、ブロック１３０１において、最大周波数のモニタリングを継続する。ループがその最大レンジを頻繁にヒットしていない場合、ブロック１３０３において、ｅＮＢスケジューラは、現在のループレンジを維持する。ブロック１３０４において、バックオフループトリガイベントが検出されたか否かについての決定が行われる。ブロック１３０４のバックオフループトリガイベントは、ブロック１２０１（図１２）のトリガイベントに類似しうる。そうである場合、ｅＮＢスケジューラは、ブロック１３００においてより小さいレンジにバックオフループレンジを再設定し、プロセスを再開する。トリガイベントが検出されなかった場合、ブロック１３０５において、ループが頻繁にその最小ループ限界にヒットしているかについての決定が行われる。そうである場合、ブロック１３０６において、ｅＮＢは、ループレンジを徐々に減らす。ループレンジを減らした後、ｅＮＢは、ブロック１３０１においてモニタリングプロセスを維持するだろう。ループ最小値が頻繁にヒットされていない場合、ｅＮＢは、ブロック１３０３において現在のループレンジを維持し、次に、前述されたように、ブロック１３０４において任意のトリガイベントを検出するためにモニタリングする。この適応プロセスは、ｅＮＢが、支配的な送信条件にしたがってループレンジを調整することを可能にするだけでなく、あらかじめ定義されたトリガイベントが検出された場合、ベースレンジへの迅速な戻りも提供する。
【００７３】
１つの構成において、ワイヤレス通信のために構成されたｅＮＢ １１０は、ＵＥから第１のランクインジケーションを受信する手段、ここで、第１のランクインジケーションは基準リソースの第１のセットを指す、ＵＥから第２のランクインジケーションを受信する手段、ここで、第２のランクインジケーションは基準リソースの第２のセットを指す、送信ランクを選択して、リソースの第１のセット上でＵＥによって維持可能な送信レートを設定する手段、ここにおいて、選択された送信ランクは、第１のランクインジケーションとは異なる、第２のランクインジケーションと、この第２のランクインジケーションに基づいた第２の送信レートとを用いてリソースの第２のセット上でデータパケットをＵＥに送信する手段、選択された送信ランクおよび送信レートを用いてリソースの第１のセット上でデータパケットをＵＥに送信する手段を含む。一態様において、前述された手段は、前述された手段によって記載された機能を実行するように構成されたプロセッサ、コントローラ／プロセッサ４４０、メモリ４４２、スケジューラ４４４、受信プロセッサ４３８、ＭＩＭＯ検出器４３６、復調器４３２ａ〜ｔ、およびアンテナ４３４ａ〜ｔでありうる。別の態様において、前述の手段は、前述の手段によって記載された機能を実行するように構成されたモジュールまたは任意の装置でありうる。
【００７４】
当業者は、情報および信号が、多種多様な技術および技法のいずれかを使用して表されうることを理解するであろう。例えば、上記説明の全体にわたって参照されうるデータ、命令、コマンド、情報、信号、ビット、シンボル、およびチップは、電圧、電流、電磁波、磁場または磁性粒子、光場または光粒子、あるいはこれらの任意の組み合わせによって表されうる。
【００７５】
図６、８、９、および１１〜１３の機能ブロックおよびモジュールは、プロセッサ、電子デバイス、ハードウェアデバイス、電子コンポーネント、論理回路、メモリ、ソフトウェアコード、ファームウェアコード等、またはそれらの任意の組み合わせを備えることができる。
【００７６】
当業者はさらに、本明細書での開示に関連して説明された実例となる様々な論理ブロック、モジュール、回路、およびアルゴリズムのステップが、電子ハードウェア、コンピュータソフトウェア、または両者の組み合わせとして実現されうることを認識するであろう。ハードウェアとソフトウェアとのこの互換性を明確に説明するために、実例となる様々なコンポーネント、ブロック、モジュール、回路、およびステップが、概ねそれらの機能という観点から上述されている。そのような機能がハードウェアとして実現されるかソフトウェアとして実現されるかは、特定のアプリケーションおよびシステム全体に課された設計制約に依存する。当業者は、特定のアプリケーションごとに、多様な方法で説明された機能を実現することができるが、このような実現の決定は、本開示の範囲からの逸脱を引き起こしていると解釈されるべきでない。
【００７７】
本明細書での開示に関連して説明された、実例となる様々な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、本明細書で説明された機能を実行するように設計されたそれらの任意の組み合わせを用いて、実現または実行されうる。汎用プロセッサは、マイクロプロセッサでありうるが、代替的に、プロセッサは、任意の従来のプロセッサ、コントローラ、マイクロコントローラ、またはステートマシンでありうる。プロセッサはまた、コンピューティングデバイスの組み合わせ、例えば、ＤＳＰと、１つのマイクロプロセッサ、複数のマイクロプロセッサ、ＤＳＰコアと結合された１つ以上のマイクロプロセッサとの組み合わせ、またはあらゆる他のそのような構成として、実現されうる。
【００７８】
本明細書での開示に関連して説明された方法またはアルゴリズムのステップは、ハードウェアで直接的に、プロセッサによって実行されるソフトウェアモジュールで、または両者の組み合わせで、具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られているその他の形態の記憶媒体に存在しうる。例示的な記憶媒体は、プロセッサが記憶媒体から情報を読み取り、記憶媒体に情報を書き込むように、プロセッサに結合される。あるいは、記憶媒体は、プロセッサに不可欠でありうる。プロセッサと記憶媒体は、ＡＳＩＣに存在しうる。ＡＳＩＣは、ユーザ端末に存在しうる。代替的に、プロセッサと記憶媒体は、ユーザ端末においてディスクリートコンポーネントとして存在しうる。
【００７９】
１つ以上の例示的な設計において、説明された機能は、ハードウェア、ソフトウェア、ファームウェア、またはそれらの任意の組み合わせで実現されうる。ソフトウェアで実現される場合、機能は、コンピュータ読取可能な媒体上の１つ以上の命令またはコードとして、記憶または送信されることができる。コンピュータ読取可能な媒体は、ある場所から別の場所へのコンピュータプログラムの転送を容易にする任意の媒体を含む通信媒体とコンピュータ記憶媒体との両方を含む。記憶媒体は、汎用または専用コンピュータによってアクセスされることができる任意の入手可能な媒体であることができる。限定ではなく例として、そのようなコンピュータ読取可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用されることができ、かつ、汎用または専用コンピュータ、または汎用または専用プロセッサによってアクセスされることができる任意の他の媒体を含むことができる。また、任意の接続は、コンピュータ読取可能な媒体と厳密には呼ばれる。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、無線、およびマイクロ波のようなワイヤレス技術を使用して送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含み、ここで、ディスク（disks）は、通常磁気的にデータを再生し、ディスク（discs）は、レーザーを用いて光学的にデータを再生する。上記の組み合わせもまた、コンピュータ読取可能な媒体の範囲内に含まれるべきである。
【００８０】
本開示の先の説明は、本開示を製造または使用することをいずれの当業者にも可能にさせるために提供されている。本開示に対する様々な変更は、当業者にとって容易に明らかであり、本明細書で定義された一般的な原理は、本開示の精神または範囲から逸脱せずに、他の変形に適用されうる。このように、本開示は、本明細書に示された例および設計に限定されることは意図しておらず、本明細書に開示された原理および新規な特徴と一致する最も広い範囲が付与されるべきである。
以下に、本願出願の当初の特許請求の範囲に記載された発明を付記する。
［Ｃ１］  ワイヤレス通信の方法であって、
ユーザ機器（ＵＥ）から第１のランクインジケーションを受信することと、ここで、前記第１のランクインジケーションは、リソースの第１のセットに対応する、
前記ＵＥから第２のランクインジケーションを受信することと、ここで、前記第２のランクインジケーションは、リソースの第２のセットに対応する、
送信ランクを選択して、前記リソースの第１のセット上で前記ＵＥが維持可能な送信レートを設定することと、ここにおいて、前記選択された送信ランクは、前記第１のランクインジケーションとは異なる、
前記選択された送信ランクおよび送信レートを用いて、前記リソースの第１のセット上で前記ＵＥにデータパケットを送信することと、
前記第２のランクインジケーションと、前記第２のランクインジケーションに基づいた第２の送信レートとを用いて、前記リソースの第２のセット上で前記ＵＥにデータパケットを送信することと
を備える方法。
［Ｃ２］  前記リソースの第１のセットは、干渉制限されたサブフレームを指し、前記リソースの第２のセットは、干渉のないサブフレームを指す、Ｃ１に記載の方法。
［Ｃ３］  前記選択された送信ランクは、前記第２のランクインジケーションである、Ｃ１に記載の方法。
［Ｃ４］  前記第１のランクインジケーションおよび前記第２のランクインジケーションは各々、複数のランクインジケータ値のうちの１つを備える、Ｃ１に記載の方法。
［Ｃ５］  前記リソースの第１のセット上で送信された前記データパケットに関連付けられた誤り率をモニタリングすることと、
前記誤り率が上がっていることを検出したことに応じて、前記リソースの第１のセット上の前記送信レートを低下させることと
をさらに備える、Ｃ１に記載の方法。
［Ｃ６］  前記送信レートが送信レートレンジの限界に到達したことに応じて前記選択された送信ランクとは異なる別のランクインジケーションに関連付けられた別の送信レートレンジを再選択することと、
前記別の送信レートレンジ内の前記別のデータ送信レートを用いて、前記リソースの第１のセット上でデータパケットを前記ＵＥに送信することと
をさらに備える、Ｃ５に記載の方法。
［Ｃ７］  前記低下させることは、前記送信レートレンジが前記第１のランクインジケータにしたがって選択された場合に第１の量にしたがって実行され、前記送信レートレンジが前記選択された送信ランクにしたがって選択された場合に第２の量を備え、前記第２の量は前記第１の量よりも多い、Ｃ５に記載の方法。
［Ｃ８］  前記低下させる量は、前記検出された誤り率に基づいて決定される、Ｃ５に記載の方法。
［Ｃ９］  前記選択された送信ランクを用いて、前記リソースの第１のセット上で送信された前記データパケットに関連付けられた誤り率をモニタリングすることと、
前記選択された送信ランクに関連付けられた前記誤り率に基づいて第１のバックオフ値を生成することと、
前記第１のランクインジケータを用いて、前記リソースの第１のセット上で送信された前記データパケットに関連付けられた前記誤り率をモニタリングすることと、
前記第１のランクインジケータに関連付けられた前記誤り率に基づいて第２のバックオフ値を生成することと、
前記選択された送信ランクおよび前記第１のランクインジケータのうちのどちらがより高い、サービングスループットを提供するかを、前記第１のバックオフ値と前記第２のバックオフ値との比較に基づいて決定することと
をさらに備える、Ｃ１に記載の方法。
［Ｃ１０］  前記送信ランクを選択することは、
前記第１のランクインジケータを用いて、前記リソースの第１のセット上でデータパケットを前記ＵＥに送信することと、
前記送信ランクを、前記第１のランクインジケータとは異なる前記選択された送信ランクに一時的に切り替えることと、
前記選択された送信ランクを用いて、前記リソースの第１のセット上でデータパケットを前記ＵＥに送信することと、
前記第１のランクインジケータを用いて前記データパケットを送信する間に達成されるスループットに一致するように前記送信レートを変更することと、
前記選択された送信ランクを用いて送信された前記データパケットに関連付けられたブロック誤り率を分析することと、
前記ブロック誤り率がターゲットブロック誤り率よりもかなり大きくないことに応じて、前記送信レートが、前記第１のランクインジケータを用いた送信のための最大値に到達した場合に、前記ランクインジケータを、前記第１のランクインジケータとは異なる前記選択された送信ランクに切り替えるようにスケジューラを設定することと、
前記送信ランクを前記第１のランクインジケータに切り替えることと
を備える、Ｃ１に記載の方法。
［Ｃ１１］  前記選択された送信ランクを用いて、前記リソースの第１のセット上で前記データパケットを送信することに関連付けられた誤り率をモニタリングすることと、
前記誤り率に基づいて、バックオフ値を生成することと、
ひどい干渉条件に順応するように前記バックオフ値を調整することと、
バックオフ値トリガイベントを検出したことに応じて、前記バックオフ値を中立レンジに設定することと
をさらに備える、Ｃ１に記載の方法。
［Ｃ１２］  バックオフ値レンジを有するバックオフ値を生成することと、ここで、前記バックオフ値レンジは、小さいデシベルのレンジに初期設定される、
モニタリングされた誤り率が、あらかじめ決められた周波数よりも大きい前記バックオフ値レンジの限界と交差するか否かを決定することと、
前記限界の交差に順応するように前記バックオフ値レンジを変更することと、
バックオフ値トリガイベントを検出したことに応じて、前記バックオフ値を前記小さいデシベルのレンジに再設定することと
をさらに備える、Ｃ１に記載の方法。
［Ｃ１３］  ワイヤレス通信のために構成された発展型ノードＢ（ｅＮＢ）であって、
第１のランクインジケーションをユーザ機器（ＵＥ）から受信する手段と、ここで、前記第１のランクインジケーションは、リソースの第１のセットに対応する、
第２のランクインジケーションを前記ＵＥから受信する手段と、ここで、前記第２のランクインジケーションは、リソースの第２のセットに対応する、
送信ランクを選択して、前記リソースの第１のセット上で前記ＵＥが維持可能な送信レートを設定する手段と、ここにおいて、前記選択された送信ランクは、前記第１のランクインジケーションとは異なる、
前記選択された送信ランクおよび送信レートを用いて、前記リソースの第１のセット上でデータパケットを前記ＵＥに送信する手段と、
前記第２のランクインジケーションと、前記第２のランクインジケーションに基づいた第２の送信レートとを用いて、前記リソースの第２のセット上で前記ＵＥにデータパケットを送信する手段と
を備えるｅＮＢ。
［Ｃ１４］  前記リソースの第１のセットは、干渉制限されたサブフレームを指し、前記リソースの第２のセットは、干渉のないサブフレームを指す、Ｃ１３に記載のｅＮＢ。
［Ｃ１５］  前記選択された送信ランクは、前記第２のランクインジケーションである、Ｃ１３に記載のｅＮＢ。
［Ｃ１６］  前記第１のランクインジケーションおよび前記第２のランクインジケーションは各々、複数のランクインジケータ値のうちの１つを備える、Ｃ１３に記載のｅＮＢ。
［Ｃ１７］  前記リソースの第１のセット上で送信された前記データパケットに関連付けられた誤り率をモニタリングする手段と、
前記誤り率が上がっていることを検出したことに応じて、前記リソースの第１のセット上の前記送信レートを低下させる手段と
をさらに備える、Ｃ１３に記載のｅＮＢ。
［Ｃ１８］  前記送信レートが前記送信レートレンジの限界に到達したことに応じて前記選択された送信ランクとは異なる別のランクインジケーションに関連付けられた別の送信レートレンジを再選択する手段と、
前記別の送信レートレンジ内の前記別のデータ送信レートを用いて、前記リソースの第１のセット上でデータパケットを前記ＵＥに送信する手段と
をさらに備える、Ｃ１７に記載のｅＮＢ。
［Ｃ１９］  前記選択された送信ランクを用いて、前記リソースの第１のセット上で送信された前記データパケットに関連付けられた誤り率をモニタリングする手段と、
前記選択された送信ランクに関連付けられた前記誤り率に基づいて第１のバックオフ値を生成する手段と、
前記第１のランクインジケータを用いて、前記リソースの第１のセット上で送信された前記データパケットに関連付けられた前記誤り率をモニタリングする手段と、
前記第１のランクインジケータに関連付けられた前記誤り率に基づいて第２のバックオフ値を生成する手段と、
前記選択された送信ランクおよび前記第１のランクインジケータのうちのどちらがより高い、サービングされるスループットを提供するかを、前記第１のバックオフ値と前記第２のバックオフ値との比較に基づいて決定する手段と
をさらに備える、Ｃ１３に記載のｅＮＢ。
［Ｃ２０］  前記送信ランクを選択することは、
前記第１のランクインジケータを用いて、前記リソースの第１のセット上でデータパケットを前記ＵＥに送信する手段と、
前記送信ランクを、前記第１のランクインジケータとは異なる前記選択された送信ランクに一時的に切り替える手段と、
前記選択された送信ランクを用いて、前記リソースの第１のセット上でデータパケットを前記ＵＥに送信する手段と、
前記第１のランクインジケータを用いて前記データパケットを送信する間に達成されるスループットに一致するように前記送信レートを変更する手段と、
前記選択された送信ランクを用いて送信された前記データパケットに関連付けられたブロック誤り率を分析する手段と、
前記ブロック誤り率がターゲットブロック誤り率よりもかなり大きくないことに応じて実行可能な手段であって、前記送信レートが、前記第１のランクインジケータを用いた送信のための最大値に到達した場合に、前記ランクインジケータを、前記第１のランクインジケータとは異なる前記選択された送信ランクに切り替えるようにスケジューラを設定する手段と、
前記送信ランクを前記第１のランクインジケータに切り替える手段と
を備える、Ｃ１３に記載のｅＮＢ。
［Ｃ２１］  前記選択された送信ランクを用いて、前記リソースの第１のセット上で送信された前記データパケットに関連付けられた誤り率をモニタリングする手段と、
前記誤り率に基づいて、バックオフ値を生成する手段と、
ひどい干渉条件に順応するように前記バックオフ値を調整する手段と、
バックオフ値トリガイベントを検出したことに応じて実行可能な手段であって、前記バックオフ値を中立レンジに設定する手段と
をさらに備える、Ｃ１３に記載のｅＮＢ。
［Ｃ２２］  バックオフ値レンジを有するバックオフ値を生成する手段と、ここで、前記バックオフ値レンジは、小さいデシベルのレンジに初期設定される、
モニタリングされた誤り率が、あらかじめ決められた周波数よりも大きい前記バックオフ値レンジの限界と交差するか否かを決定する手段と、
前記限界の交差に順応するように前記バックオフ値レンジを変更する手段と、
バックオフ値トリガイベントを検出したことに応じて実行可能な手段であって、前記バックオフ値を前記小さいデシベルのレンジに再設定する手段と
をさらに備える、Ｃ１３に記載のｅＮＢ。
［Ｃ２３］  プログラムコードが記録されたコンピュータ読取可能な媒体を備えた、ワイヤレスネットワークにおけるワイヤレス通信のためのコンピュータプログラム製品であって、前記プログラムコードは、
ユーザ機器（ＵＥ）から第１のランクインジケーションを受信するためのプログラムコードと、ここで、前記第１のランクインジケーションは、リソースの第１のセットに対応する、
第２のランクインジケーションを前記ＵＥから受信するためのプログラムコードと、ここで、前記第２のランクインジケーションは、リソースの第２のセットに対応する、
送信ランクを選択して、前記リソースの第１のセット上で前記ＵＥが維持可能な送信レートを設定するためのプログラムコードと、ここにおいて、前記選択された送信ランクは、前記第１のランクインジケーションとは異なる、
前記選択された送信ランクおよび送信レートを用いて、前記リソースの第１のセット上でデータパケットを前記ＵＥに送信するためのプログラムコードと、
前記第２のランクインジケーションと前記第２のランクインジケーションに基づいた第２の送信レートとを用いて、前記リソースの第２のセット上でデータパケットを前記ＵＥに送信するためのプログラムコードと
を備える、コンピュータプログラム製品。
［Ｃ２４］  前記リソースの第１のセットは、干渉制限されたサブフレームを指し、前記リソースの第２のセットは、干渉のないサブフレームを指す、Ｃ２３に記載のコンピュータプログラム製品。
［Ｃ２５］  前記選択された送信ランクは、前記第２のランクインジケーションである、Ｃ２３に記載のコンピュータプログラム製品。
［Ｃ２６］  前記第１のランクインジケーションおよび前記第２のランクインジケーションは各々、複数のランクインジケータ値のうちの１つを備える、Ｃ２３に記載のコンピュータプログラム製品。
［Ｃ２７］  前記リソースの第１のセット上で送信された前記データパケットに関連付けられた誤り率をモニタリングするためのプログラムコードと、
前記誤り率が上がっていることを検出したことに応じて、前記リソースの第１のセット上の前記送信レートを低下させるためのプログラムコードと
をさらに備える、Ｃ２３に記載のコンピュータプログラム製品。
［Ｃ２８］  前記送信レートが前記送信レートレンジの限界に到達したことに応じて前記選択された送信ランクとは異なる別のランクインジケーションに関連付けられた別の送信レートレンジを再選択するためのプログラムコードと、
前記別の送信レートレンジ内の前記別のデータ送信レートを用いて、前記リソースの第１のセット上でデータパケットを前記ＵＥに送信するためのプログラムコードと
をさらに備える、Ｃ２７に記載のコンピュータプログラム製品。
［Ｃ２９］  前記選択された送信ランクを用いて、前記リソースの第１のセット上で送信された前記データパケットに関連付けられた誤り率をモニタリングするためのプログラムコードと、
前記選択された送信ランクに関連付けられた前記誤り率に基づいて第１のバックオフ値を生成するためのプログラムコードと、
前記第１のランクインジケータを用いて、前記リソースの第１のセット上で送信された前記データパケットに関連付けられた前記誤り率をモニタリングするためのプログラムコードと、
前記第１のランクインジケータに関連付けられた前記誤り率に基づいて第２のバックオフ値を生成するためのプログラムコードと、
前記選択された送信ランクおよび前記第１のランクインジケータのうちのどちらがより高いサービングされるスループットを提供するかを、前記第１のバックオフ値と前記第２のバックオフ値との比較に基づいて決定するためのプログラムコードと
をさらに備える、Ｃ２３に記載のコンピュータプログラム製品。
［Ｃ３０］  前記送信ランクを選択するためのプログラムコードは、
前記第１のランクインジケータを用いて、前記リソースの第１のセット上で前記ＵＥにデータパケットを送信するためのプログラムコードと、
前記送信ランクを、前記第１のランクインジケータとは異なる前記選択された送信ランクに一時的に切り替えるためのプログラムコードと、
前記選択された送信ランクを用いて、前記リソースの第１のセット上で前記ＵＥにデータパケットを送信するためのプログラムコードと、
前記第１のランクインジケータを用いて前記データパケットを送信する間に達成されるスループットに一致するように前記送信レートを変更するためのプログラムコードと、
前記選択された送信ランクを用いて送信された前記データパケットに関連付けられたブロック誤り率を分析するためのプログラムコードと、
前記ブロック誤り率がターゲットブロック誤り率よりもかなり大きくないことに応じて実行可能なプログラムコードであって、前記送信レートが、前記第１のランクインジケータを用いた送信のための最大値に到達した場合に、前記ランクインジケータを、前記第１のランクインジケータとは異なる前記選択された送信ランクに切り替えるようにスケジューラを設定するためのプログラムコードと、
前記送信ランクを前記第１のランクインジケータに切り替えるためのプログラムコードと
を備える、Ｃ２３に記載のコンピュータプログラム製品。
［Ｃ３１］  前記選択された送信ランクを用いて、前記リソースの第１のセット上で送信された前記データパケットに関連付けられた誤り率をモニタリングするためのプログラムコードと、
前記誤り率に基づいて、バックオフ値を生成するためのプログラムコードと、
ひどい干渉条件に順応するように前記バックオフ値を調整するためのプログラムコードと、
バックオフ値トリガイベントを検出したことに応じて実行可能なプログラムコードであって、前記バックオフ値を中立レンジに設定するためのプログラムコードと
をさらに備える、Ｃ２３に記載のコンピュータプログラム製品。
［Ｃ３２］  バックオフ値レンジを有するバックオフ値を生成するためのプログラムコードと、ここで、前記バックオフ値レンジは、小さいデシベルのレンジに初期設定される、
モニタリングされた誤り率が、あらかじめ決められた周波数よりも大きい前記バックオフ値レンジの限界と交差するか否かを決定するためのプログラムコードと、
前記限界の交差に順応するように前記バックオフ値レンジを変更するためのプログラムコードと、
バックオフ値トリガイベントを検出したことに応じて実行可能なプログラムコードであって、前記バックオフ値を前記小さいデシベルのレンジに再設定するためのプログラムコードと
をさらに備える、Ｃ２３に記載のコンピュータプログラム製品。
［Ｃ３３］  ワイヤレス通信のために構成された発展型ノードＢ（ｅＮＢ）であって、前記装置は、
少なくとも１つのプロセッサと、
前記少なくとも１つのプロセッサに結合されたメモリとを備え、
前記少なくとも１つのプロセッサは、
ユーザ機器（ＵＥ）から第１のランクインジケーションを受信することと、ここで、前記第１のランクインジケーションは、リソースの第１のセットに対応する、
前記ＵＥから第２のランクインジケーションを受信することと、ここで、前記第２のランクインジケーションは、リソースの第２のセットに対応する、
送信ランクを選択して、前記リソースの第１のセット上で前記ＵＥが維持可能な送信レートを設定することと、ここにおいて、前記選択された送信ランクは、前記第１のランクインジケーションとは異なる、
前記選択された送信ランクおよび送信レートを用いて、前記リソースの第１のセット上で前記ＵＥにデータパケットを送信することと、
前記第２のランクインジケーションと、前記第２のランクインジケーションに基づいた第２の送信レートとを用いて、前記リソースの第２のセット上で前記ＵＥにデータパケットを送信することと
を行うように構成される、ｅＮＢ。
［Ｃ３４］  前記リソースの第１のセットは、干渉制限されたサブフレームを指し、前記リソースの第２のセットは、干渉のないサブフレームを指す、Ｃ３３に記載のｅＮＢ。
［Ｃ３５］  前記選択された送信ランクは、前記第２のランクインジケーションである、Ｃ３３に記載のｅＮＢ。
［Ｃ３６］  前記第１のランクインジケーションおよび前記第２のランクインジケーションは各々、複数のランクインジケータ値のうちの１つを備える、Ｃ３３に記載のｅＮＢ。
［Ｃ３７］  前記少なくとも１つのプロセッサはさらに、
前記リソースの第１のセット上で送信された前記データパケットに関連付けられた誤り率をモニタリングすることと、
前記誤り率が上がっていることを検出したことに応じて、前記リソースの第１のセット上の前記送信レートを低下させることと
を行うように構成される、Ｃ３３に記載のｅＮＢ。
［Ｃ３８］  前記少なくとも１つのプロセッサはさらに、
前記送信レートが前記送信レートレンジの限界に到達したことに応じて前記選択された送信ランクとは異なる別のランクインジケーションに関連付けられた別の送信レートレンジを再選択することと、
前記別の送信レートレンジ内の前記別のデータ送信レートを用いて、前記リソースの第１のセット上で前記ＵＥにデータパケットを送信することと
を行うように構成される、Ｃ３７に記載のｅＮＢ。
［Ｃ３９］  前記少なくとも１つのプロセッサはさらに、
前記選択された送信ランクを用いて、前記リソースの第１のセット上で送信された前記データパケットに関連付けられた誤り率をモニタリングすることと、
前記選択された送信ランクに関連付けられた前記誤り率に基づいて第１のバックオフ値を生成することと、
前記第１のランクインジケータを用いて、前記リソースの第１のセット上で送信された前記データパケットに関連付けられた前記誤り率をモニタリングすることと、
前記第１のランクインジケータに関連付けられた前記誤り率に基づいて第２のバックオフ値を生成することと、
前記選択された送信ランクおよび前記第１のランクインジケータのうちのどちらがより高いサービングされるスループットを提供するかを、前記第１のバックオフ値と前記第２のバックオフ値との比較に基づいて決定することと
を行うように構成される、Ｃ３３に記載のｅＮＢ。
［Ｃ４０］  前記送信ランクを選択することを行うように前記少なくとも１つを構成することは、前記少なくとも１つのプロセッサを、
前記第１のランクインジケータを用いて、前記リソースの第１のセット上で前記ＵＥにデータパケットを送信することと、
前記送信ランクを、前記第１のランクインジケータとは異なる前記選択された送信ランクに一時的に切り替えることと、
前記選択された送信ランクを用いて、前記リソースの第１のセット上で前記ＵＥにデータパケットを送信することと、
前記第１のランクインジケータを用いて前記データパケットを送信する間に達成されるスループットに一致するように前記送信レートを変更することと、
前記選択された送信ランクを用いて送信された前記データパケットに関連付けられたブロック誤り率を分析することと、
前記ブロック誤り率がターゲットブロック誤り率よりもかなり大きくないことに応じて、前記送信レートが前記第１のランクインジケータを用いた送信のための最大値に到達した場合に、前記ランクインジケータを、前記第１のランクインジケータとは異なる前記選択された送信ランクに切り替えるようにスケジューラを設定することと、
前記送信ランクを前記第１のランクインジケータに切り替えることと
を行うように構成することを備える、Ｃ３３に記載のｅＮＢ。
［Ｃ４１］  前記少なくとも１つのプロセッサはさらに、
前記選択された送信ランクを用いて、前記リソースの第１のセット上で送信された前記データパケットに関連付けられた誤り率をモニタリングすることと、
前記誤り率に基づいて、バックオフ値を生成することと、
ひどい干渉条件に順応するように前記バックオフ値を調整することと、
バックオフ値トリガイベントを検出したことに応じて、前記バックオフ値を中立レンジに設定することと
を行うように構成される、Ｃ３３に記載のｅＮＢ。
［Ｃ４２］  前記少なくとも１つのプロセッサはさらに、
バックオフ値レンジを有するバックオフ値を生成することと、ここで、前記バックオフ値レンジは、小さいデシベルのレンジに初期設定される、
モニタリングされた誤り率が、あらかじめ決められた周波数よりも大きい前記バックオフ値レンジの限界と交差するか否かを決定することと、
前記限界の交差に順応するように前記バックオフ値レンジを変更することと、
バックオフ値トリガイベントを検出したことに応じて、前記バックオフ値を前記小さいデシベルのレンジに再設定することと
を行うように構成される、Ｃ３３に記載のｅＮＢ。
【図１】
0005755811.tif 000003
【図２】
0005755811.tif 000004
【図３】
0005755811.tif 000005
【図４】
0005755811.tif 000006
【図５】
0005755811.tif 000007
【図６】
0005755811.tif 000008
【図７】
0005755811.tif 000009
【図８】
0005755811.tif 000010
【図９】
0005755811.tif 000011
【図１０】
0005755811.tif 000012
【図１１】
0005755811.tif 000013
【図１２】
0005755811.tif 000014
【図１３】
0005755811.tif 000015